(57)【要約】      （修正有）【課題】煩雑な注文手続なしで複数のイフダンオーダーを実行でき、イフダンオーダーを行う顧客のリスクを低減できる金融商品取引管理装置を提供する。【解決手段】金融商品取引管理装置１の注文情報生成部１６は、一の前記売買注文申込情報に基づいて、同一種類の金融商品を二つの価格について指値注文する注文情報と前記金融商品を一の価格について逆指値注文する一の逆指値注文情報とからなる注文情報群を複数生成し、注文情報群を形成する個々の注文情報を価格ごとに順位を付けた第一注文、第二注文とし、第一注文を有効な注文情報とし、かつ、第二注文と逆指値注文情報とを無効な注文情報とする。注文テーブル１８１には注文情報群が記録される。【選択図】図１
2010055323.tif 000002
【特許請求の範囲】
【請求項１】
オンライン端末としてのクライアント端末を用いて行われる金融商品の売買取引を管理する金融商品取引管理装置であって、
前記クライアント端末から送信された、前記金融商品の売買注文を行うための売買注文申込情報を受け付ける注文入力受付手段と、
該注文入力受付手段が受け付けた前記売買注文申込情報に基づいて金融商品の注文情報を生成する注文情報生成手段と、
前記注文情報生成手段が生成した前記注文情報を記録する注文情報記録手段とを備え、
前記注文情報生成手段は、一の前記売買注文申込情報に基づいて、同一種類の前記金融商品を一の価格について指値注文する前記注文情報が二つと前記指値注文された前記金融商品と同一の前記金融商品を一の価格について逆指値注文する逆指値注文情報が一つとからなる注文情報群を複数生成し、
該注文情報群を形成する個々の前記注文情報について価格ごとに第一順位、第二順位の順位を付けると共に、前記第一順位の前記注文情報を有効な注文情報とし、かつ、前記第二順位の注文情報及び前記逆指値注文情報を無効な注文情報とし、
前記注文情報記録手段には前記注文情報群が記録されることを特徴とする金融商品取引管理装置。
【請求項２】
前記注文情報に基づいて前記金融商品の約定を行う約定情報生成手段を備え、
該約定情報生成手段は、前記注文情報記録手段に記録された前記注文情報群を形成する個々の前記注文情報のうち前記第一順位の前記注文情報に基づいて前記金融商品の約定を行い、該約定と共に、前記第二順位の前記注文情報及び前記逆指値注文情報を無効から有効に変更する処理を複数回繰り返し行うことを特徴とする請求項１に記載の金融商品取引管理装置。
【請求項３】
前記注文情報生成手段は、前記第一順位の前記注文情報を新規の指値注文の注文情報として生成し、前記第二順位の前記注文情報を決済の指値注文の注文情報として生成し、前記逆指値注文情報を決裁の逆指値注文の注文情報として生成することを特徴とする請求項１又は２に記載の金融商品取引管理装置。
【請求項４】
前記約定情報生成手段は、前記逆指値注文情報に基づいて約定を行った場合、該逆指値注文情報を生成した前記売買注文申込情報に基づいて生成される注文情報群のうち、前記逆指値注文情報の生成時点で未生成である前記注文情報群を全てキャンセル処理することを特徴とする請求項１乃至３の何れかに記載の金融商品取引管理装置。
【請求項５】
前記約定情報生成手段は、一旦成立した前記金融商品の注文に対するキャンセル要求があった場合、該キャンセル要求のあった注文に関する前記注文情報が含まれる前記注文情報群を抽出し、該注文情報群に含まれる約定前の前記注文情報を全てキャンセル処理することを特徴とする請求項１乃至４の何れかに記載の金融商品取引管理装置。
【請求項６】
特定顧客の預金残高情報を記録する顧客口座情報記録手段を備え、
前記注文情報記録手段には、前記注文情報群を形成するそれぞれの前記注文情報について前記注文情報の注文価格情報が属性情報として記録され、
前記注文情報生成手段は、前記預金残高情報と前記注文情報の前記属性情報としての前記注文価格情報とを比較し、前記預金残高情報の値が前記注文価格情報の値以上である場合、前記注文情報群を生成することを特徴とする請求項１乃至５の何れかに記載の金融商品取引管理装置。
【請求項７】
前記金融商品は外国為替であることを特徴とする請求項１乃至６の何れかに記載の金融商品取引管理装置。
【請求項８】
コンピュータを請求項１乃至７の何れか一つに記載の金融商品取引管理装置として機能させることを特徴とするプログラム。
【発明の詳細な説明】
【技術分野】
【０００１】
本発明は、外国為替等、金融商品の取引を管理、支援する技術に関する。
【背景技術】
【０００２】
外国為替等の金融商品の取引方法として、注文時の価格で取引を行う成行注文の他に、指値注文が知られている。この指値注文とは、予め顧客から売買値段の指定を受ける注文形態のことであり、金融商品の取扱業者は対象となる金融商品が指定された金額まで下がったときに当該金融商品の買い注文を行い、あるいは、指定された金額まで上がったときに当該金融商品の売り注文を行う。従来、この金融商品の指値注文をコンピュータシステムを用いて行う発明が知られている（例えば、特許文献１参照）。
【特許文献１】特開２００６−９９７８７号公報
【発明の開示】
【発明が解決しようとする課題】
【０００３】
ここで、金融商品の指値注文においては、イフダンオーダー（順位のある２つの注文を同時に出し、第一順位の注文（以下「第一注文」と称する。）が成立したら、自動的に第二順位の注文（以下「第二注文」と称する。）が有効になる注文形式のこと。本明細書において同じ。）が行われることも多い、しかし、引用文献１に記載の発明においては、イフダンオーダーの指値注文に対応できないという問題がある。また、一の顧客が特定の金融商品について複数のイフダンオーダーを行う場合もある。しかし、引用文献１に記載の発明においては、システムを利用する顧客が複数のイフダンオーダーを個別に注文していかねばならず、顧客の注文手続が煩雑になるという問題がある。一方、金融商品の相場が従来の相場よりも大きく変動してしまい当面回復の見込みがない場合には、当該金融商品を所持する取引者は、損害を最小限に留めるべく当該金融商品の売却を望む場合が多い。しかし、引用文献１に記載の発明において、金融商品の取引を行うべくシステムを利用する顧客は、指値注文の買い注文によって取得した金融商品を将来の相場の状況に応じて自動的に売却することはできず、またイフダンオーダーを相場の状況に応じて自動的に中止させることができないという問題がある。
【０００４】
本発明は上記の問題に鑑みてなされたものであり、金融商品の指値注文において、システムを利用する顧客が煩雑な注文手続を行うことなく複数のイフダンオーダーを行うことができ、また将来の相場の状況に応じてイフダンオーダーを自動的に自動的に中止させることができて、システムを利用する顧客の利便性を高めると共にイフダンオーダーを行う際に顧客が被るリスクを低減させることができる金融商品取引管理装置を提供することを課題としている。
【課題を解決するための手段】
【０００５】
かかる課題を達成するために、請求項１に記載の発明は、オンライン端末としてのクライアント端末を用いて行われる金融商品の売買取引を管理する金融商品取引管理装置であって、前記クライアント端末から送信された、前記金融商品の売買注文を行うための売買注文申込情報を受け付ける注文入力受付手段と、該注文入力受付手段が受け付けた前記売買注文申込情報に基づいて金融商品の注文情報を生成する注文情報生成手段と、前記注文情報生成手段が生成した前記注文情報を記録する注文情報記録手段とを備え、前記注文情報生成手段は、一の前記売買注文申込情報に基づいて、同一種類の前記金融商品を一の価格について指値注文する前記注文情報が二つと前記指値注文された前記金融商品と同一の前記金融商品を一の価格について逆指値注文する逆指値注文情報が一つとからなる注文情報群を複数生成し、該注文情報群を形成する個々の前記注文情報について価格ごとに第一順位、第二順位の順位を付けると共に、前記第一順位の前記注文情報を有効な注文情報とし、かつ、前記第二順位の注文情報及び前記逆指値注文情報を無効な注文情報とし、前記注文情報記録手段には前記注文情報群が記録されることを特徴とする。
【０００６】
請求項２に記載の発明は、請求項１に記載の構成に加え、前記注文情報に基づいて前記金融商品の約定を行う約定情報生成手段を備え、該約定情報生成手段は、前記注文情報記録手段に記録された前記注文情報群を形成する個々の前記注文情報のうち前記第一順位の前記注文情報に基づいて前記金融商品の約定を行い、該約定と共に、前記第二順位の前記注文情報及び前記逆指値注文情報を無効から有効に変更する処理を複数回繰り返し行うことを特徴とする。
【０００７】
請求項３に記載の発明は、請求項１又は２に記載の構成に加え、前記注文情報生成手段は、前記第一順位の前記注文情報を新規の指値注文の注文情報として生成し、前記第二順位の前記注文情報を決済の指値注文の注文情報として生成し、前記逆指値注文情報を決裁の逆指値注文の注文情報として生成することを特徴とする。
【０００８】
請求項４に記載の発明は、請求項１乃至３の何れか一つに記載の構成に加え、前記約定情報生成手段は、前記逆指値注文情報に基づいて約定を行った場合、該逆指値注文情報を生成した前記売買注文申込情報に基づいて生成される注文情報群のうち、前記逆指値注文情報の生成時点で未生成である前記注文情報群を全てキャンセル処理することを特徴とする。
【０００９】
請求項５に記載の発明は、請求項１乃至４の何れか一つに記載の構成に加え、前記約定情報生成手段は、一旦成立した前記金融商品の注文に対するキャンセル要求があった場合、該キャンセル要求のあった注文に関する前記注文情報が含まれる前記注文情報群を抽出し、該注文情報群に含まれる約定前の前記注文情報を全てキャンセル処理することを特徴とする
【００１０】
請求項６に記載の発明は、請求項１乃至５の何れか一つに記載の構成に加え、特定顧客の預金残高情報を記録する顧客口座情報記録手段を備え、前記注文情報記録手段には、前記注文情報群を形成するそれぞれの前記注文情報について前記注文情報の注文価格情報が属性情報として記録され、前記注文情報生成手段は、前記預金残高情報と前記注文情報の前記属性情報としての前記注文価格情報とを比較し、前記預金残高情報の値が前記注文価格情報の値以上である場合、前記注文情報群を生成することを特徴とする。
【００１１】
請求項７に記載の発明は、請求項１乃至６の何れか一つに記載の構成に加え、前記金融商品は外国為替であることを特徴とする。
【００１２】
請求項８に記載の発明は、プログラムであって、コンピュータを請求項１乃至７の何れか一つに記載の金融商品取引管理装置として機能させることを特徴とする。
【発明の効果】
【００１３】
請求項１に記載の発明によれば、金融商品取引管理装置は、クライアント端末から送信された、金融商品の売買注文を行うための売買注文申込情報を受け付ける注文入力受付手段と、注文入力受付手段が受け付けた売買注文申込情報に基づいて金融商品の注文情報を生成する注文情報生成手段と、注文情報生成手段が生成した注文情報を記録する注文情報記録手段とを備え、注文情報生成手段は、一の売買注文申込情報に基づいて、同一種類の金融商品を一の価格について指値注文する注文情報が二つと指値注文された金融商品と同一の金融商品を一の価格について逆指値注文する逆指値注文情報が一つとからなる注文情報群を複数生成し、注文情報群を形成する個々の注文情報について価格ごとに第一順位、第二順位の順位を付けると共に、第一順位の注文情報を有効な注文情報とし、かつ、第二順位の注文情報及び逆指値注文情報を無効な注文情報とし、注文情報記録手段には注文情報群が記録されることにより、金融商品取引管理装置を利用する顧客が金融商品を売買する際、顧客がクライアント端末側で一の注文手続きを行うことで、同一種類の複数価格の金融商品を複数のイフダンオーダーによって繰り返し注文することができ、かつ、当該顧客が将来的に所有する金融商品を逆指値注文によって売却することもできる。これにより、指値注文により金融商品の売買を行う顧客の利便性を向上させつつ、金融商品の指値注文において、システムを利用する顧客が煩雑な注文手続を行うことなく複数のイフダンオーダーを行うことができ、また将来の相場の状況に応じてイフダンオーダーを自動的に自動的に中止させることができて、システムを利用する顧客の利便性を高めると共にイフダンオーダーを行う際に顧客が被るリスクを低減させることができる。
【００１４】
請求項２に記載の発明によれば、注文情報に基づいて金融商品の約定を行う約定情報生成手段を備え、約定情報生成手段は、注文情報記録手段に記録された注文情報群を形成する個々の注文情報のうち第一順位の注文情報に基づいて金融商品の約定を行い、約定と共に、第二順位の注文情報及び逆指値注文情報を無効から有効に変更する処理を複数回繰り返し行うことにより、クライアント端末から受信されて注文情報記録手段に記録された一の指示に基づいて、コンピュータシステム上で複数のイフダンオーダーによる取引を実現でき、かつ、イフダンオーダーによる取引を逆指値注文によって中断させることを実現できる。これにより、金融商品の指値注文において、システムを利用する顧客が煩雑な注文手続を行うことなく複数のイフダンオーダーを行うことができ、また将来の相場の状況に応じてイフダンオーダーを自動的に自動的に中止させることができて、システムを利用する顧客の利便性を高めると共にイフダンオーダーを行う際に顧客が被るリスクを低減させることができる。
【００１５】
請求項３に記載の発明によれば、注文情報生成手段は、第一順位の注文情報を新規の指値注文の注文情報として生成することにより、注文内容を画一化し、システム内における情報処理の煩雑化を防止してシステム構成の簡素化を図ると共に、注文手続の煩雑化を防止し、システムを利用する顧客の利便性を一層高めることができる。また、第二順位の注文情報を決済の指値注文の注文情報として生成することにより、第一順位の注文情報によって生じた注文による利益を第二順位の注文情報によって逐次確定させ、注文手続やシステム内における情報処理の煩雑化を防止できる。更に、逆指値注文情報を決裁の逆指値注文の注文情報として生成することにより、逆指値注文を、真に逆指値注文が必要とされる、顧客が指値取引によって生ずる損害を最小限に留める為に決裁手続を行う場面のみに限定できて、逆指値注文の乱用防止とシステム内における情報処理の煩雑化を防止とを図ることができる。
【００１６】
請求項４に記載の発明によれば、約定情報生成手段は、約定情報生成手段は、逆指値注文情報に基づいて約定を行った場合、逆指値注文情報を生成した売買注文申込情報に基づいて生成される注文情報群のうち、逆指値注文情報の生成時点で未生成である注文情報群を全てキャンセル処理することにより、一の逆指値注文情報に基づいて、特定時点以降におけるイフダンオーダー等の指値注文による売買を全て中止させることができる。これにより、金融商品の相場が従来の相場よりも大きく変動してしまい当面回復の見込みがない場合等において、指値取引を行う顧客が被る損害を最小限に留めることができる。
【００１７】
請求項５に記載の発明によれば、約定情報生成手段は、一旦成立した金融商品の注文に対するキャンセル要求があった場合、キャンセル要求のあった注文に関する注文情報が含まれる注文情報群を抽出し、注文情報群に含まれる約定前の注文情報を全てキャンセル処理することにより、イフダンオーダーによる指値注文の取扱が煩雑化することを防止できる。これにより、システムを利用する顧客の利便性を一層高めつつ、システム構成及びシステムにおける情報処理の複雑化を防止できる。
【００１８】
請求項６に記載の発明によれば、特定顧客の預金残高情報を記録する顧客口座情報記録手段を備え、注文情報生成手段は、預金残高情報と注文情報の属性情報としての注文価格情報とを比較し、預金残高情報の値が注文価格情報の値以上である場合、注文情報群を生成することにより、支払いが確実にできる場合にのみイフダンオーダーによる指値注文を受け付け、支払い不能による商取引上の支障が生ずることなくシステムを運用できる。  
【００１９】
請求項７に記載の発明によれば、金融商品は外国為替であることにより、イフダンオーダーによって指値注文する需要の高い金融商品について本発明を適用し、システムを利用する顧客の利便性を一層高めることができる。
【００２０】
請求項８に記載の発明によれば、本発明の金融商品取引管理装置をプログラム化し、多様なコンピュータハードウェア上で実現させることができる。
【発明を実施するための最良の形態】
【００２１】
以下、この発明の一の実施形態について図面を参照して説明する。
【００２２】
図１は、本実施形態の金融商品取引管理システムのシステム構成図及び機能ブロック図である。同図に示すとおり、金融商品取引管理システム１Ａは、金融商品取引管理装置１と、ｎ個（ｎ≧１）のクライアント端末２１〜２ｎとを備えており、金融商品取引管理装置１とクライアント端末２１〜２ｎは、ＷＡＮ（Wide Area Network）としてのインターネット３を介して相互に交信可能である。本実施形態の金融商品取引管理システム１Ａは、金融商品として外国為替を取扱う。これにより、イフダンオーダーによって指値注文する需要の高い金融商品について金融商品取引管理システム１Ａを適用し、金融商品取引管理システム１Ａを利用する顧客の利便性を一層高めることができる。
【００２３】
金融商品取引管理装置１は、金融商品の取扱業者が管理し運用するサーバコンピュータであり、Ｗｅｂサーバ機能、大容量のデータを保存するデータベース機能を備えている。クライアント端末２１，・・・，２ｎは、金融商品の売買を行う個人又は法人が所持し使用する、データ通信機能を有する通信端末であって、パーソナルコンピュータ、携帯電話端末等がこれに該当する。クライアント端末２１，・・・，２ｎは、マウスやキーボード等各種指示を入力するために用いられる操作部２１１，・・・，２１ｎ、ＬＣＤ（Liquid Crystal Display）等からなり操作部２１１，・・・，２１ｎから入力された各種指示等や各種画像を表示する表示部２２１，・・・，２２ｎを有している。なお、クライアント端末２１，・・・，２ｎ、操作部２１１，・・・，２１ｎ、表示部２２１，・・・，２２ｎは同じ構成を持つので、以下、区別する必要がある場合を除き、クライアント端末２、操作部２１、表示部２２とする。
【００２４】
図１には図示しないが、金融商品取引管理装置１は少なくとも１のＣＰＵ（Central Processing Unit、中央処理装置）、及び、ＣＰＵの作業領域として機能するＲＡＭ（Random Access Memory）、起動用ブートプログラム等が記録されたＲＯＭ（Read Only Memory）、各種プログラムやデータ等が記録されるハードディスク等の補助記憶装置、データの送受信に用いる通信インターフェース等が設けられている。補助記憶装置には、ＯＳ（Operating System）用プログラム、各種アプリケーションプログラム、データベースに記録されたデータ等が記録されており、これらのプログラムやデータはＣＰＵの演算処理により、ハードウェア資源と協働して各種機能を実現する。
【００２５】
図１に示す通り、金融商品取引管理装置１は、上述した各種プログラムとハードウェア資源とに基づいて実現される機能手段としてのデータ処理部１０、及び、データ処理部１０にて処理される各種データが記録されるデータベース１８を有する。データ処理部１０は金融商品取引管理装置１において用いる各種データの生成、加工等の処理を行うものであり、更に、同じく機能手段としてのフロントページ配信部１１、注文入力受付部（注文入力受付手段）１２、入出金情報生成部１３、約定情報生成部（約定情報生成手段）１４、口座情報生成部１５、注文情報生成部（注文情報生成手段）１６、データベース（ＤＢ）接続基底部１７、価格情報受信部１９を有している。
【００２６】
注文入力受付部１２は、クライアント端末２から入力された各種の注文に関するデータを受け付け、金融商品の注文を成立させるために必要な各種処理を行う。
【００２７】
入手金情報生成部１３は、クライアント端末２から入出金のリクエストを受け付け、リクエストに基づいて入出金の一覧表を作成する。
【００２８】
注文情報生成部１６は、注文入力受付部１２が処理した情報に基づいて、成立した金融商品の注文に関する情報を生成する。ここでの注文には、いわゆる成行注文、指値注文に加え、イフダンオーダーも含まれる。
【００２９】
約定情報生成部１４は、注文情報生成部１６が生成した注文に基づく約定処理、及び、完了した約定処理に関する情報を顧客のクライアント端末２に送るための処理を行う。なお、ここでの「約定」とは、顧客の注文に基づいて金融商品の売買を成立されるための各種の手続並びに処理のことをいう。
【００３０】
口座情報生成部１５は、顧客の預金残高情報を生成し、当該預金残高情報を証拠金情報（即ち、注文の約定を実現できることを裏付けるための情報）として管理する機能を有する。なお、口座情報生成部１５において生成される預金残高に関する情報は、現実の預金残高と整合性を取るために、銀行等の金融機関が提供する、顧客の現実の預金残高に関する情報と定期的に照合される。
【００３１】
データベース接続基底部１７は、データ処理部１０において生成、加工処理されたデータとデータベース１８にて記録されるデータとの変換（例えば論理的データ構造と物理的データ構造との相互変換）を行うと共に、データ処理部１０とデータベース１８との間でデータを交信するために必要な処理を行う。
【００３２】
データベース１８は、金融商品取引管理装置１にて用いられるデータを記録する。本実施形態におけるデータベース１８はリレーショナルデータベースによって形成するが、例えばオブジェクトデータベース等、大量のデータの記録や書換えに適したものであればどのような形式を用いてもよい。データベース１８には、注文テーブル（注文情報記録手段）１８１、顧客口座情報テーブル１８２、通過ペア注文条件テーブル１８３、シーケンス番号テーブル１８４が記録されている。シーケンス番号テーブル１８４には注文情報（後述）ごとに一意に付されるシーケンス番号が記録される。
【００３３】
フロントページ配信部１１は、クライアント端末２の表示部２２にされる画像データを作成し、作成した画像データをクライアント端末２に送信する。
【００３４】
価格情報受信部１９は、金融商品取引管理装置１にて扱う金融商品の価格についての情報を取得し、取得した情報に対し、データ処理部１０にて用いるために必要な処理を行う。本実施形態においては、価格情報受信部１９は外為の相場価格の情報を取得する。
【００３５】
図２Ａは注文テーブル１８１のフィールド定義の模式図、図２Ｂは顧客口座情報テーブル１８２のフィールド定義の模式図、図２Ｃは通貨ペア注文条件テーブル１８３のフィールド定義の模式図である。これらの図に示す通り、各テーブル１８１，１８２，１８３は項目数分のフィールドを有し、フィールドの名称（フィールド名）、文字や数値や日時等のデータ型（型）、ビット長等のデータ長（長さ）、空欄不可指定（Not Null）、デフォルト値の有無（デフォルト値）、データの項目名（備考）等が規定される。
【００３６】
上述の金融商品取引管理装置１においては、金融商品の指値取引が行われる際、一の予約注文によって、同一種類の複数の金融商品の指値注文を複数のイフダンオーダーによって行うことができる。
【００３７】
次に、本実施形態の金融商品取引管理システム１Ａにおけるイフダンオーダーによる指値注文の取引手順について説明する。
【００３８】
図３は、本実施形態の金融商品取引管理装置１における、イフダンオーダーによる指値注文を成立させる際の処理手順を示すフローチャートである。以下、同図に基づいて注文時の処理手順を説明する。
【００３９】
金融商品取引管理システム１Ａを利用する顧客は、クライアント端末２を用いて金融商品取引管理装置１にアクセスする。金融商品取引管理装置１のフロントページ配信部１１は、アクセスのあったクライアント端末２の表示部２２に、第一の入力画面（図示せず）、及び図５にイメージ図を示す第二の入力画面４０を表示させる。
【００４０】
第一の入力画面（図示せず）には、取引可能な通貨ペアの選択ボタンと、売買形態の選択ボタンと、取引形態（成行注文、指値注文、イフダンオーダーの指値注文、逆指値注文）の選択ボタンと、注文の有効期限（特定の年、月、あるいは無期限、等）を選択する有効期限選択ボタンと、各選択ボタンによる選択内容を確定させるための「選択」ボタン（いずれも図示せず）が設けられている。顧客は、売買を希望する通貨ペア、例えば日本円と米国ドルの通貨ペアの選択ボタンをクリックし、希望する売買形態、例えば「買い」の新規注文（即ち、新しくポジション（外貨の持高）を持つための注文）を選択する選択ボタンをクリックし、イフダンオーダーの指値注文の選択ボタンをクリックし、注文の有効期限として「無期限」を選択し、更に「選択」ボタンをクリックすると、金融商品取引管理装置１のフロントページ配信部１１は、クライアント端末２の表示部２２に第二の入力画面を表示させる。
【００４１】
図５に示す通り、第二の入力画面４０には第一の入力画面において入力された事項、即ち、日本円と米国ドルの通貨ペアを示す表示４１ａ、「買い」の新規注文のイフダン（ＩＦＤ）オーダーを示す表示４１ｂ、有効期限が無期限であることの表示４１ｃが表示されている。また、第二の入力画面４０には、イフダンオーダーの条件設定の為の入力欄や選択ボタン、及び、これらの入力欄や選択ボタンによる入力や選択を確定するための「選択ボタン」が設けられている。即ち、第二の入力画面４０には、「第一順位の注文情報」としての第一注文の約定価格を入力する第一注文価格入力欄４２ａ、「第二順位の注文情報」としての第二注文の約定価格を入力する第二注文価格入力欄４２ｂ、「逆指値注文情報」としての逆指値注文の約定価格を入力する逆指値注文価格入力欄４２ｃ、一注文における一ポジションごとの金額を入力するポジション金額入力欄４２ｄ、一ポジションの第一注文が約定した後に一ポジションの第二注文が約定した際の利益額を入力するための利益額入力欄４２ｅが設けられている。また、第二の入力画面４０には、逆指値注文を有効にするためのチェックボックス４３ａと、リピートイフダンオーダー（イフダンオーダーの第二注文が成立すると同時に新たなイフダンオーダーを行うことで、複数のイフダンオーダーを繰り返し行う注文形式のこと。本明細書において同じ。）を選択するためのチェックボックス４３ｂが設けられており、更に、入力・選択内容を確定するための注文確認ボタン４４が設けられている。なお、利益額入力欄４２ｅを設けるに当たり、金融商品取引管理装置１の注文入力受付部１２には、利益額入力欄４２ｅに入力された金額から第一注文の価格と第二注文の価格とで自動的に算出する機構が設けられていることが望ましい。また、第一注文価格入力欄４２ａ及び第二注文価格入力欄４２ｂと、利益額入力欄４２ｅとは、少なくとも何れか一方に金額が入力されていればイフダンオーダーの設定が可能である。
【００４２】
顧客は、第二の入力画面４０の各入力欄４２ａ〜４２ｅに希望する数値を入力し、各チェックボックス４３ａ，４３ｂに希望する注文形式をチェックする。図５には、顧客が、第一注文価格入力欄４１ａに１ドル１０５．００円、第二注文価格入力欄に１ドル１０５．５０円、逆指値注文価格入力欄４３ｃに１ドル１０４．５０円、ポジション金額入力欄４２ｄに１ポジション１０万ドル、利益額入力欄４２ｅに利益額３６，０００円が入力され、各チェックボックス４３ａ，４３ｂがチェックされて逆指値注文とリピートイフダンオーダーが有効となった状態が示されている。
【００４３】
なお、図示しないが、この実施の形態においては、例えば、第二の入力画面４０にポジションの数（又は注文情報群（同一種類の複数の金融商品を二つの価格（即ち、第一注文の価格と第二注文の価格）で一定の商品数ごとに指値注文と、指値注文された金融商品と同一の金融商品を一の価格について逆指値注文する一の逆指値注文情報とからなる、注文情報の組のこと。本明細書において同じ。）を入力する入力欄を設けたり、チェックボックス４３ｂにチェックが入ったときに注文情報生成部１６が自動的に複数のポジション（又は注文情報群）を設定するための構成を設ける等、リピートイフダンオーダーを実現するための構成を有することが望ましい。更に、複数のポジション（又は複数の注文情報群）を第二の入力画面４０で入力できなかったり自動的に設定する構成を有していない場合には、後述するステップＳ２の手順以降クライアント端末２に表示される第三の入力画面（図示せず）において、リピートイフダンオーダーをキャンセルするための注文キャンセルボタン（図示せず）が設けられていることが望ましい。
【００４４】
図５に示す状態で顧客が第二の入力画面４０の注文確認ボタン４４をクリックすると、第一の入力画面（図示せず）、第二の入力画面４０にそれぞれ入力された注文内容が金融商品取引管理装置１の注文入力受付部１２に入力される（ステップＳ１）。
【００４５】
なお、図５に示す状態において顧客が注文確認ボタン４５に代えて再計算ボタン４６をクリックすると、第一の入力画面（図示せず）、第二の入力画面４０に対して行われた入力はキャンセルされ、第一の入力画面（図示せず）に入力される前の状態に戻る。
【００４６】
そして、注文入力受付部１２は、入力された注文の内容を確認する。具体的には、第一の入力画面（図示せず）において選択された期限を確認し、さらに、入力されたデータの注文価格について検査を行う（ステップＳ２）。具体的には、第一の入力画面（図示せず）及び第二の入力画面４０で選択・入力された通貨ペアの第一注文の価格と、価格情報受信部１９が受信した現在の為替相場価格との対比が行われる。注文入力受付部１２は、顧客が利益を得られる場合のみ、即ち、外国通貨を買う場合は第一注文の価格が現在の為替相場価格よりも低く、かつ第二注文の価格が現在の為替相場価格よりも高い場合のみを、外国通貨を売る場合は第一注文の価格が現在の為替相場価格よりも高く、かつ第二注文の価格が現在の為替相場価格よりも低い場合のみを、それぞれ適正価格と判断する。
【００４７】
第一注文の価格及び第二注文の価格が適正価格と判断された場合（ステップＳ３の“Ｎｏ”）、口座情報生成部１５が顧客口座情報テーブル１８２の当該顧客の証拠金情報を取得する。具体的には、図２Ｂに示す“amnt”フィールド１８２ａに記録された数値データが証拠金情報として取得される。
【００４８】
注文入力受付部１２は、取得された証拠金情報と顧客の注文総額（即ち、各入力欄４２ａ〜４２ｅに入力された数値に基づいて算出される注文総額）とを対比し、証拠金の額が注文総額以上であるか否かを確認する。注文情報生成部１６は、証拠金の額が注文総額以上である場合（ステップＳ５の“Ｎｏ”）の場合にのみ、注文情報群を生成する。これにより、顧客が確実に支払いができる場合にのみイフダンオーダーによる指値注文を受け付けることができる。
【００４９】
ここで、本実施形態においては、注文情報生成部１６は、第一注文を新規の指値注文の注文情報として生成し、第二注文を決済の指値注文の注文情報として生成し、逆指値注文を決裁の逆指値注文の注文情報として生成する。第一注文を新規の指値注文の注文情報として生成することにより、注文内容を画一化し、金融商品取引管理システム１Ａ内における情報処理の煩雑化を防止してシステム構成の簡素化を図ると共に、注文手続の煩雑化を防止し、金融商品取引管理システム１Ａを利用する顧客の利便性を一層高めることができる。また、第二注文を決済の指値注文の注文情報として生成することにより、第一順位の注文情報によって生じた注文による利益を第二順位の注文情報によって逐次確定させ、注文手続や金融商品取引管理システム１Ａ内における情報処理の煩雑化を防止できる。更に、逆指値注文を決裁の逆指値注文の注文情報として生成することにより、逆指値注文を、真に逆指値注文が必要とされる、顧客が指値取引によって生ずる損害を最小限に留める為に決裁手続を行う場面のみに限定できて、逆指値注文の乱用防止と金融商品取引管理システム１Ａ内における情報処理の煩雑化を防止とを図ることができる。
【００５０】
証拠金の額が注文総額以上である場合（ステップＳ５の“Ｎｏ”）、注文入力受付部１２は、通貨ペア注文条件テーブル１８３に記録されたデータ等を元に、注文条件が上述したもの以外のイフダンオーダーの各種条件を満たしているか否かを確認する（ステップＳ６）。
【００５１】
イフダンオーダーの各種条件を満たしていない場合（ステップＳ７の“Ｙｅｓ”）、注文入力受付部１２は入力された注文をエラーとして扱い、注文の受付を拒絶する（ステップＳ１０）。
【００５２】
イフダンオーダーの各種条件を満たしている場合であって（ステップＳ７の“Ｎｏ”）、注文条件が上述のイフダンオーダーによる指値注文に必要な条件を全て満たしているものと判定された場合、フロントページ配信部１１は、クライアント端末２の表示部２２に、確認画面（図示せず）を表示させる。確認画面（図示せず）には第二の入力画面４０にて顧客によって入力、選択された注文条件が列記されており、列記された内容で間違いない場合にクリックする承認ボタン（図示せず）が設けられている。
【００５３】
顧客が操作部２１の操作により承認ボタン（図示せず）をクリックすると、金融商品取引管理装置１の注文情報生成部１６はステップＳ１にて入力されたデータに基づいて注文情報を生成する（ステップＳ８）。具体的には、上記手順において入力された複数のデータを、注文価格を単位としてまとめ、各情報の単位に、シーケンス番号テーブル１８４に記録された注文にシーケンス番号を付与することで各注文情報を形成する。なおこのとき、シーケンス番号テーブル１８４には、注文情報に使用されたシーケンス番号を未使用の番号と識別するための情報が付与される。一回のステップＳ８の手順にて形成される複数の注文情報は、注文情報群（以下単に「注文情報群」と称する。）を形成する。
【００５４】
注文情報生成部１６は、生成された注文情報群を注文テーブル１８１に記録する（ステップＳ９）。具体的には、図２Ａに示す各フィールドに、該当する注文情報（即ち“備考”カラム１８１ａの項目に対応するデータ）が記録される。例えば、ステップＳ８にて付与されたシーケンス番号は“ord_seq”フィールド１８１ｂに記録される。“cust_seq”フィールド１８１ｃには顧客ごとに一意に定められた顧客番号が、“style_id”フィールド１８１ｄには商品名が記録される。“ccy_pair_id”フィールド１８１ｅには通貨ペア毎に一意に定められたＩＤ番号が記録される。このＩＤ番号と通貨ペアとの組合わせはデータベース中に別途設けられたＩＤテーブル（図示せず）中に記録されている。“buy_sell_id”フィールド１８１ｆには売り注文、買い注文のいずれであるかを示すデータ、“ord_rate”フィールド１８１ｇには注文価格、“limit_time”フィールド１８１ｈには注文価格が記録される。“ord_cond”フィールド１８１ｉには注文種別（例えば、成行注文、指値注文、逆指値注文等の種別を識別するための識別情報）が記録される。“new_close”フィールド１８１ｊには新規注文、継続注文のいずれであるかを示すデータが記録される。“ifd_ord_seq”フィールド１８１ｋにはイフダンオーダーのシーケンス番号が記録される。“repeat_flag”フィールド１８１ｍには、注文種別がリピートイフダンオーダーであることを識別するための識別情報が記録される。以上の手順より、本実施の形態におけるイフダンオーダーによる指値注文の注文処理は完了する。
【００５５】
注文処理が完了すると、注文情報生成部１６はまず最初の注文情報群（以下「第一の注文情報群」と称する。）を生成する。なお、この生成された時点において、注文情報群に含まれる、第一順位の注文情報としての第一注文５１ａは有効な注文情報（顧客から正式に依頼された指値注文のこと。本明細書において同じ。）として生成されているが、同じ注文情報群に含まれる、第二順位の注文情報としての第二注文情報は、無効な注文情報（即ち、顧客から正式に依頼を受けていない注文情報のこと。本明細書において同じ。）として生成されている。
【００５６】
フロントページ配信部１１は、クライアント端末２の表示部２２に図６にイメージ図を示す注文情報群表示画面５０を表示させる。同図に示す通り、注文情報群表示画面５０には、生成された第一の注文情報群に含まれる第一注文５１ａ、第二注文５１ｂ、逆指値注文５１ｃが表形式で表示される。これらの注文５１ａ，５１ｂ，５１ｃは上述の第一の入力画面（図示せず）、第二の入力画面４０（図示せず）において入力欄、選択欄に入力、選択された情報が表示されている。
【００５７】
なお、ステップＳ３において第一注文５１ａの注文価格、及び第二注文情報の注文価格のうち少なくとも何れか一方が不適正な価格と判断された場合（ステップＳ３の“Ｙｅｓ”）、又は、ステップＳ５において証拠金の額が注文総額未満であった場合（ステップＳ５の“Ｙｅｓ”）、注文入力受付部１２は入力された注文をエラーとして扱い、注文を拒絶する（ステップＳ１０）。
【００５８】
図４Ａ及び図４Ｂは、本実施形態の金融商品取引管理装置１における、イフダンオーダーによる指値注文の成立後の処理手順を示すフローチャートであり、図７は、本実施形態の金融商品取引管理装置１における、指値注文に基づく約定を模式的に表したタイムチャートである。以下、同図に基づいて処理手順を説明する。
【００５９】
注文処理の完了後、金融商品取引管理装置１の価格情報受信部１９は為替相場の情報取得を継続する。
【００６０】
ここで、例えば、図７に示す通り、イフダンオーダーによる指値注文の注文処理が完了した時点ｔ１での米国ドルの相場購入価格７１が１ドル１０６．００円であったとする。指値注文完了後に米国ドルの相場価格が下がり、時点ｔ２において相場購入価格７１が第一注文５１ａの約定価格と同じ１ドル１０５．００円になると（ステップＳ２１）、約定情報生成部１４は当該ポジションの第一注文５１ａを約定させる処理を行う（ステップＳ２２）。
【００６１】
第一注文５１ａに基づく指値注文が約定すると、約定情報生成部１４はデータベース１８中の対応するデータを書き換える。具体的には、注文テーブル１８１の当該指値注文に関する注文情報のデータが削除され、顧客口座情報テーブル１８２の“amnt”フィールド１８２ａのデータが約定した価格分だけ増減される。
【００６２】
次に、第一注文５１ａに基づく指値注文が約定すると、約定情報生成部１４は、第一の注文情報群における第二注文５１ｂと逆指値注文５１ｃとを無効な注文情報から有効な注文情報に変更する（ステップＳ２３）。
【００６３】
この後、米国ドルの相場販売価格７２が逆指値注文５１ｃの約定価格、即ちこの実施の形態では１ドル１０４．５０円まで下落することがなく（ステップＳ２４の“Ｎｏ”）、図７に示すように、米国ドルの相場販売価格７２が上昇し、特定時点ｔ３において米国ドルの相場購入価格７１が第二注文５１ｂの約定価格と同じ１ドル１０５．５０円になると、約定情報生成部１４は当該ポジションの第二注文５１ｂに基づく指値注文を約定させると共に、逆指値注文５１ｃをキャンセルする処理を行う（ステップＳ２６）。そして、約定情報生成部１４はデータベース１８中の対応するデータを書き換える。これにより、顧客はｔ２時点の買い注文とｔ３時点の売り注文の差額分の利益を得られることになる。
【００６４】
図７のｔ３時点においてステップＳ１での入力により生成された注文情報が全て約定していない場合には（ステップＳ２７の“Ｎｏ”）、口座情報生成部１５が再度顧客口座情報テーブル１８２の当該顧客の証拠金情報を取得する。そして、注文入力受付部１２は、再度、取得された証拠金情報と顧客の注文総額とを対比し、証拠金の額が注文総額以上であるか否かを確認する（ステップＳ２８）。証拠金の額が注文総額を下回る場合（ステップＳ２９の“Ｙｅｓ”）には、注文総額以上になるまで処理は保留され、証拠金の額が注文総額以上である場合（ステップＳ２９の“Ｎｏ”）、注文情報生成部１６は新たな注文情報群（以下「第二の注文情報群」と称する。）を生成する（ステップＳ３０）。注文情報生成部１６は、ステップＳ９と同様に、生成された第二の注文情報群を注文テーブル１８１に記録する（ステップＳ３１）。ステップＳ３０において第二の注文情報群が生成されると、フロントページ配信部１１はクライアント端末２の表示部２２に、注文情報群表示画面５０には、第一の注文情報群に含まれる第一注文５１ａ、第二注文５１ｂ、逆指値注文５１ｃに代えて、新たに生成された第二の注文情報群に含まれる第一注文、第二注文、逆指値注文を表示させる。そして、ステップＳ２１以降の処理が繰り返される。
【００６５】
当該処理は、全てのポジションの個数分の注文情報群が形成され、また、ステップＳ２２，Ｓ２６の処理が入力されたポジションの個数分繰り返されるまで継続する（ステップＳ２７の“Ｎｏ”）。即ち、第二の入力画面４０において注文情報群の数を指定可能な場合や第二の入力画面４０のチェックボックス４３ｂにチェックが入ったときに注文情報生成部１６が自動的に複数のポジション（又は注文情報群）を設定するための構成を有する場合には、指定・設定された注文情報群が全て形成されかつ全てのポジションについて図７に示す時点ｔ４，ｔ５，・・・の処理が行われるまで処理が継続し、第一の入力画面（図示せず）及び第二の入力画面４０において注文情報群の数を指定できない場合には、顧客がクライアント端末２の表示部２２に表示された第三の入力画面（図示せず）にリピートイフダンオーダーをキャンセルする旨の入力を行うまで処理が継続する。そして、ステップＳ２１，Ｓ２３の処理が上記入力されたポジションの個数分繰り返された後（ステップＳ２７の“Ｙｅｓ”）、全ての処理手順が終了する。
【００６６】
なお、約定せずに注文期限が経過した指値注文は全てキャンセルされ、注文テーブル１８１から削除される。
【００６７】
一方、ステップＳ２３の処理ののち、米国ドルの相場販売価格７２が逆指値注文５１ｃの約定価格、即ちこの実施の形態では１ドル１０４．５０円まで下落した場合（ステップＳ２４の“Ｙｅｓ”）、約定情報生成部１４は逆指値注文５１ｃの約定を行う（ステップＳ３２）。即ち、約定情報生成部１４は、ステップＳ２２で有効な注文情報に変更された第二注文５１ｂに基づく指値注文を逆指値注文の約定価格で約定させて決済する処理を行う。これにより、金融商品の相場が従来の相場よりも大きく変動してしまい当面回復の見込みがない場合等において、指値取引を行う顧客が被る損害を最小限に留めることができる。
【００６８】
そして、約定情報生成部１４は、逆指値注文情報に基づいて約定を行った場合、現在有効で約定前の注文情報と、逆指値注文情報を生成した売買注文申込情報に基づいて生成される注文情報群のうち、逆指値注文情報の生成時点で未生成である注文情報群とを全てキャンセル処理する。具体的には、約定情報生成部１４は、現在有効な第二注文をキャンセル処理し（ステップＳ３３）、更に、第二の入力画面４０において注文情報群の数を指定可能な場合や第二の入力画面４０のチェックボックス４３ｂにチェックが入ったときに注文情報生成部１６が自動的に複数のポジション（又は注文情報群）を設定するための構成を有する場合には、指定・設定された注文情報群のうち未生成の注文情報群を全てキャンセル処理する（ステップＳ３４）。このようにキャンセル処理を行うことで、一の逆指値注文に基づいて、特定時点以降におけるイフダンオーダー等の指値注文による売買を全て中止させることができる。これにより、金融商品の相場が従来の相場よりも大きく変動してしまい当面回復の見込みがない場合等において、指値取引を行う顧客が被る損害を最小限に留めることができる。
【００６９】
なお、本実施形態の金融商品取引管理装置１は、クライアント端末２から一度成立した指値注文の価格及び金額の変更の要求があった場合、当該要求が不正要求であるものとして入力エラー扱いで処理する。これにより、価格や金額の頻繁な要求で金融商品の売買元である銀行側の業務が過大になることを防止できる。
【００７０】
一方、クライアント端末２の第三の入力画面（図示せず）において注文キャンセルボタン（図示せず）がクリックされる等、一度成立したイフダンオーダーのキャンセル要求があった場合、金融商品取引管理装置１の約定情報生成部１４は、キャンセル要求のあったイフダンオーダーに含まれる注文情報群を抽出し、この注文情報群のうち約定未成立の第一注文、第二注文や逆指値注文を全てキャンセルされたものとして処理する。例えば、図７におけるｔ４とｔ５の間の時点で、クライアント端末２の第三の入力画面（図示せず）からキャンセル要求が入力された場合、当該時点で有効だが約定未成立である、第二の注文情報群の第二注文５１ｂ及び逆指値注文５１ｃはキャンセルされる。同様に、クライアント端末２から図７におけるｔ３とｔ４の間の時点でキャンセル要求が入力された場合、第二の注文情報群がキャンセルされる。キャンセルされた注文情報群のデータや注文情報のデータは、注文テーブル１８１から削除される。
【００７１】
このように、一旦成立した金融商品の注文に対するキャンセル要求があった場合、キャンセル要求のあった注文に関する注文情報が含まれる注文情報群を抽出し、注文情報群に含まれる約定前の注文情報を全てキャンセル処理することにより、イフダンオーダーによる指値注文の取扱が煩雑化することを防止できる。
【００７２】
なお、本実施形態の上記構成に代えて、注文キャンセルボタン（図示せず）によるキャンセル要求により、更に、キャンセル要求のあった注文情報が含まれる注文情報群であって将来生成される予定の全ての注文情報群（例えば上記の例においては、時点ｔ４と時点ｔ５との間において未生成であって将来生成される予定である、第三の注文情報群以降の注文情報群）をキャンセル処理する構成としてもよい。
【００７３】
なお、クライアント端末２から受けた注文が通常の成行注文（注文した時点の相場価格で金融商品の売買を行う取引方法）である場合には、ステップＳ８にて注文情報が生成されると即座に約定情報生成部１４が当該注文を約定させ、ステップＳ９の処理、及びステップＳ２１以降の処理は行われない。
【００７４】
以上示した通り、本実施形態においては、金融商品取引管理装置１は、クライアント端末２から送信された、金融商品の売買注文を行うための売買注文申込情報を受け付ける注文入力受付部１２と、注文入力受付部１２が受け付けた売買注文申込情報に基づいて金融商品の注文情報を生成する注文情報生成部１６と、注文情報生成部１６が生成した注文情報を記録する注文テーブル１８１とを備え、注文情報生成部１６は、一の売買注文申込情報に基づいて、同一種類の金融商品を一の価格について指値注文する注文情報が二つと指値注文された金融商品と同一の金融商品を一の価格について逆指値注文する逆指値注文情報が一つとからなる注文情報群を複数生成し、注文情報群を形成する個々の注文情報について価格ごとに第一順位、第二順位の順位を付けると共に、第一順位の注文情報を有効な注文情報とし、かつ、第二順位の注文情報及び逆指値注文情報を無効な注文情報とし、注文情報記録手段には注文情報群が記録されることにより、金融商品取引管理装置１を利用する顧客が金融商品を売買する際、顧客がクライアント端末２側で一の注文手続きを行うことで、同一種類の複数価格の金融商品を複数のイフダンオーダーによって繰り返し注文することができ、かつ、当該顧客が将来的に所有する金融商品を逆指値注文によって売却することもできる。これにより、指値注文により金融商品の売買を行う顧客の利便性を向上させつつ、金融商品の指値注文において、金融商品取引管理システム１Ａを利用する顧客が煩雑な注文手続を行うことなく複数のイフダンオーダーを行うことができ、また将来の相場の状況に応じてイフダンオーダーを自動的に自動的に中止させることができて、金融商品取引管理システム１Ａを利用する顧客の利便性を高めると共にイフダンオーダーを行う際に顧客が被るリスクを低減させることができる。
【００７５】
本実施形態においては、注文情報に基づいて金融商品の約定を行う約定情報生成部１４を備え、約定情報生成部１４は、注文テーブル１８１に記録された注文情報群を形成する個々の注文情報のうち第一順位の注文情報に基づいて金融商品の約定を行い、約定と共に、第二順位の注文情報及び逆指値注文情報を無効から有効に変更する処理を複数回繰り返し行うことにより、クライアント端末２から受信されて注文テーブル１８１に記録された一の指示に基づいて、金融商品取引管理システム１Ａ上で複数のイフダンオーダーによる取引を実現でき、かつ、イフダンオーダーによる取引を逆指値注文によって中断させることを実現できる。これにより、金融商品の指値注文において、金融商品取引管理システム１Ａを利用する顧客が煩雑な注文手続を行うことなく複数のイフダンオーダーを行うことができ、また将来の相場の状況に応じてイフダンオーダーを自動的に自動的に中止させることができて、金融商品取引管理システム１Ａを利用する顧客の利便性を高めると共にイフダンオーダーを行う際に顧客が被るリスクを低減させることができる。
【００７６】
なお、上記実施形態の金融商品取引管理システム１Ａは、金融商品として外国為替を取扱うものとしたが、これに限定されず、他の金融商品、例えば株式、債券を取扱う金融商品取引管理システムにおいても本発明を適用できる。
【００７７】
上記実施形態は本発明の例示であり、本発明が上記実施の形態に限定されることを意味するものではないことは、いうまでもない。
【図面の簡単な説明】
【００７８】
【図１】本実施形態の金融商品取引管理システムにおけるシステム構成図及び金融商品取引管理装置の機能ブロック図である。
【図２Ａ】同上金融商品取引管理装置の注文テーブルのフィールド定義の模式図である。
【図２Ｂ】同上金融商品取引管理装置の顧客口座情報テーブルのフィールド定義の模式図である。
【図２Ｃ】同上金融商品取引管理装置の通貨ペア注文条件テーブルのフィールド定義の模式図である。
【図３】同上金融商品取引管理装置における、イフダンオーダーによる指値注文を成立させる際の処理手順を示すフローチャートである。
【図４Ａ】同上金融商品取引管理装置における、イフダンオーダーによる指値注文の成立後の処理手順を示すフローチャートである。
【図４Ｂ】同上金融商品取引管理装置における、イフダンオーダーによる指値注文の成立後の処理手順を示すフローチャートである。
【図５】クライアント端末の表示部に表示される第二の入力画面のイメージ図である。
【図６】同上金融商品取引管理装置がクライアント端末の表示部に表示させる注文情報群表示画面のイメージ図である。
【図７】同上金融商品取引管理装置における、イフダンオーダーによる指値注文に基づく約定処理を模式的に表したタイムチャートである。
【符号の説明】
【００７９】
１Ａ・・・金融商品取引管理システム
１・・・金融商品取引管理装置
２、２１〜２ｎ・・・クライアント端末
１２・・・注文入力受付部（注文入力受付手段）
１４・・・約定情報生成部（約定情報生成手段）
１６・・・注文情報生成部（注文情報生成手段）
５１ａ・・・第一注文（第一順位の注文情報）
５１ｂ・・・第二注文（第二順位の注文情報）
５１ｃ・・・逆指値注文（逆指値注文情報）
１８１・・・注文テーブル（注文情報記録手段）
【図１】
2010055323.tif 000003
【図２Ａ】
2010055323.tif 000004
【図２Ｂ】
2010055323.tif 000005
【図２Ｃ】
2010055323.tif 000006
【図３】
2010055323.tif 000007
【図４Ａ】
2010055323.tif 000008
【図４Ｂ】
2010055323.tif 000009
【図６】
2010055323.tif 000010
【図７】
2010055323.tif 000011
【図５】
2010055323.tif 000012
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
オンライン端末としてのクライアント端末を用いて行われる、相場価格が変動する金融商品の売買取引を管理する金融商品取引管理装置であって、
前記クライアント端末の表示手段に、売買を希望する前記金融商品の種類を選択するための売買希望入力手段、前記金融商品の持高としてのポジションごとの金額を入力するための金額入力欄、前記金融商品の購入注文価格又は販売注文価格としての第一注文価格を入力するための第一注文価格入力欄、前記金融商品の指値注文による販売注文価格又は購入注文価格としての第二注文価格を入力するための第二注文価格入力欄、一の前記ポジションの前記金融商品を前記第一注文価格で購入した後に他の価格で販売した場合の利益額又は一の前記ポジションの前記金融商品を前記第一注文価格で販売した後に他の価格で購入した場合の利益額を入力するための利益額入力欄、前記金融商品の逆指値注文による販売注文価格又は購入注文価格を入力するための逆指値注文価格入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、
前記クライアント端末から送信された売買注文申込情報を受け付ける注文入力受付手段と、
該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、
前記注文情報生成手段が生成した前記注文情報を記録する注文情報記録手段と、
前記注文情報に基づいて前記金融商品の約定を行う約定情報生成手段と、
前記金融商品の前記相場価格情報を取得する価格情報受信手段と、
前記第一注文価格入力欄に入力された価格と前記利益額入力欄に入力された価格とに基づいて、前記第二注文価格を算出するための第二注文価格算出手段と、
特定顧客の証拠金情報の生成及び管理を行う口座情報生成手段と、
前記証拠金情報を記録する顧客口座情報記録手段とを備え、
前記注文情報生成手段は、前記承認手段の一のクリックによって前記クライアント端末から送信された前記情報を単位に形成される一の前記売買注文申込情報に基づいて、同一種類の前記金融商品について、前記第一注文価格入力欄に入力された前記第一注文価格について買いの指値注文を行う第一注文情報、及び、前記第二注文価格入力欄に入力された前記第二注文価格又は前記第二注文価格算出手段が算出した前記第二注文価格について売りの指値注文を行う第二注文情報、及び、前記逆指値注文情報入力欄に入力された価格について売りの逆指値注文を行う逆指値注文情報からなる注文情報群を複数生成し、
前記注文情報生成手段は、前記第一注文価格入力欄及び前記第二注文価格入力欄と前記利益額入力欄との少なくとも何れか一方に価格又は金額が入力されていれば前記第二注文情報を生成し、
前記注文情報記録手段には前記注文情報群が記録され、
前記約定情報生成手段は、前記価格情報受信手段において取得された前記金融商品の前記相場価格が下落又は上昇して前記第一注文価格と等しくなった場合、前記注文情報記録手段に記録された前記注文情報群を形成する個々の前記注文情報のうち前記第一注文情報に基づいて前記約定を行うと共に、前記約定情報生成手段は、前記第一注文情報が買いの指値注文である場合であって前記価格情報受信手段において取得された前記金融商品の前記相場価格が前記第一注文価格以下まで一旦下落したのちに上昇して前記第二注文価格と等しくなった場合、又は、前記第一注文情報が売りの指値注文である場合であって前記価格情報受信手段において取得された前記金融商品の前記相場価格が前記第一注文価格以上まで一旦上昇したのちに下落して前記第二注文価格と等しくなった場合、前記第二注文情報に基づいて前記金融商品の前記約定を行うことで、前記第一注文情報に基づく前記金融商品の約定と前記第二注文情報に基づく前記金融商品の約定とを繰り返し、
前記口座情報生成手段は、前記金融商品の約定処理を行う際に前記顧客口座情報記録手段の前記証拠金情報を取得し、前記約定情報生成手段は、取得された前記証拠金情報と前記フロントページ配信手段によって前記クライアント端末に画面表示された各入力欄にそれぞれ入力された数値に基づいて算出される注文総額とを対比して、前記証拠金情報の証拠金の額が前記注文総額以上である場合に、前記注文情報記録手段に記録された前記注文情報群を形成する個々の前記注文情報に基づいて前記金融商品の約定を行い、
前記約定情報生成手段は、前記逆指値注文情報に基づいて約定を行った場合、該逆指値注文情報を生成した前記売買注文申込情報に基づいて生成される注文情報群のうち、前記逆指値注文情報の生成時点で未約定である前記注文情報群を全てキャンセル処理することを特徴とする金融商品取引管理装置。
【請求項２】
オンライン端末としてのクライアント端末を用いて行われる、相場価格が変動する金融商品の売買取引を管理する金融商品取引管理装置であって、
前記クライアント端末の表示手段に、売買を希望する前記金融商品の種類を選択するための売買希望入力手段、前記金融商品の持高としてのポジションごとの金額を入力するための金額入力欄、前記金融商品の販売注文価格又は購入注文価格としての第一注文価格を入力するための第一注文価格入力欄、前記金融商品の指値注文による購入注文価格又は販売注文価格としての第二注文価格を入力するための第二注文価格入力欄、一の前記ポジションの前記金融商品を前記第一注文価格で販売した後に他の価格で購入した場合の利益額又は一の前記ポジションの前記金融商品を前記第一注文価格で購入した後に他の価格で販売した場合の利益額を入力するための利益額入力欄、前記金融商品の逆指値注文による購入注文価格又は販売注文価格を入力するための逆指値注文価格入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、
前記クライアント端末から送信された売買注文申込情報を受け付ける注文入力受付手段と、
該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、
前記注文情報生成手段が生成した前記注文情報を記録する注文情報記録手段と、
前記注文情報に基づいて前記金融商品の約定を行う約定情報生成手段と、
前記金融商品の前記相場価格情報を取得する価格情報受信手段と、
前記第一注文価格入力欄に入力された価格と前記利益額入力欄に入力された価格とに基づいて、前記第二注文価格を算出するための第二注文価格算出手段と、
特定顧客の証拠金情報の生成及び管理を行う口座情報生成手段と、
前記証拠金情報を記録する顧客口座情報記録手段とを備え、
前記注文情報生成手段は、前記承認手段の一のクリックによって前記クライアント端末から送信された前記情報を単位に形成される一の前記売買注文申込情報に基づいて、同一種類の前記金融商品について、前記第一注文価格入力欄に入力された前記第一注文価格について売りの指値注文を行う第一注文情報、及び、前記第二注文価格入力欄に入力された前記第二注文価格又は前記第二注文価格算出手段が算出した前記第二注文価格について買いの指値注文を行う第二注文情報、及び、前記逆指値注文情報入力欄に入力された価格について買いの逆指値注文を行う逆指値注文情報からなる注文情報群を複数生成し、
前記注文情報生成手段は、前記第一注文価格入力欄及び前記第二注文価格入力欄と前記利益額入力欄との少なくとも何れか一方に価格又は金額が入力されていれば前記第二注文情報を生成し、
前記注文情報記録手段には前記注文情報群が記録され、
前記約定情報生成手段は、前記価格情報受信手段において取得された前記金融商品の前記相場価格が上昇又は下落して前記第一注文価格と等しくなった場合、前記注文情報記録手段に記録された前記注文情報群を形成する個々の前記注文情報のうち前記第一注文情報に基づいて前記約定を行うと共に、前記約定情報生成手段は、前記第一注文情報が売りの指値注文である場合であって前記価格情報受信手段において取得された前記金融商品の前記相場価格が前記第一注文価格以上まで一旦上昇したのちに下落して前記第二注文価格と等しくなった場合、又は、前記第一注文情報が買いの指値注文である場合であって前記価格情報受信手段において取得された前記金融商品の前記相場価格が前記第一注文価格以下まで一旦下落したのちに上昇して前記第二注文価格と等しくなった場合、前記第二注文情報に基づいて前記金融商品の前記約定を行うことで、前記第一注文情報に基づく前記金融商品の約定と前記第二注文情報に基づく前記金融商品の約定とを繰り返し、
前記口座情報生成手段は、前記金融商品の約定処理を行う際に前記顧客口座情報記録手段の前記証拠金情報を取得し、前記約定情報生成手段は、取得された前記証拠金情報と前記フロントページ配信手段によって前記クライアント端末に画面表示された各入力欄にそれぞれ入力された数値に基づいて算出される注文総額とを対比して、前記証拠金情報の証拠金の額が前記注文総額以上である場合に、前記注文情報記録手段に記録された前記注文情報群を形成する個々の前記注文情報に基づいて前記金融商品の約定を行い、
前記約定情報生成手段は、前記逆指値注文情報に基づいて約定を行った場合、該逆指値注文情報を生成した前記売買注文申込情報に基づいて生成される注文情報群のうち、前記逆指値注文情報の生成時点で未約定である前記注文情報群を全てキャンセル処理することを特徴とする金融商品取引管理装置。
【請求項３】
前記約定情報生成手段は、一旦生成された前記金融商品の注文に対するキャンセル要求があった場合、該キャンセル要求のあった注文に関する前記注文情報が含まれる前記注文情報群を抽出し、該注文情報群に含まれる約定前の前記注文情報を全てキャンセル処理することを特徴とする請求項１又は２に記載の金融商品取引管理装置。
【請求項４】
前記金融商品は外国為替であることを特徴とする請求項１乃至３の何れか一つに記載の金融商品取引管理装置。
【請求項５】
コンピュータを請求項１乃至４の何れか一つに記載の金融商品取引管理装置として機能させることを特徴とするプログラム。
【手続補正２】
【補正対象書類名】明細書
【補正対象項目名】０００５
【補正方法】変更
【補正の内容】
【０００５】
かかる課題を達成するために、請求項１に記載の発明は、オンライン端末としてのクライアント端末を用いて行われる、相場価格が変動する金融商品の売買取引を管理する金融商品取引管理装置であって、前記クライアント端末の表示手段に、売買を希望する前記金融商品の種類を選択するための売買希望入力手段、前記金融商品の持高としてのポジションごとの金額を入力するための金額入力欄、前記金融商品の購入注文価格又は販売注文価格としての第一注文価格を入力するための第一注文価格入力欄、前記金融商品の指値注文による販売注文価格又は購入注文価格としての第二注文価格を入力するための第二注文価格入力欄、一の前記ポジションの前記金融商品を前記第一注文価格で購入した後に他の価格で販売した場合の利益額又は一の前記ポジションの前記金融商品を前記第一注文価格で販売した後に他の価格で購入した場合の利益額を入力するための利益額入力欄、前記金融商品の逆指値注文による販売注文価格又は購入注文価格を入力するための逆指値注文価格入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、前記クライアント端末から送信された売買注文申込情報を受け付ける注文入力受付手段と、該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、前記注文情報生成手段が生成した前記注文情報を記録する注文情報記録手段と、前記注文情報に基づいて前記金融商品の約定を行う約定情報生成手段と、前記金融商品の前記相場価格情報を取得する価格情報受信手段と、前記第一注文価格入力欄に入力された価格と前記利益額入力欄に入力された価格とに基づいて、前記第二注文価格を算出するための第二注文価格算出手段と、特定顧客の証拠金情報の生成及び管理を行う口座情報生成手段と、前記証拠金情報を記録する顧客口座情報記録手段とを備え、前記注文情報生成手段は、前記承認手段の一のクリックによって前記クライアント端末から送信された前記情報を単位に形成される一の前記売買注文申込情報に基づいて、同一種類の前記金融商品について、前記第一注文価格入力欄に入力された前記第一注文価格について買いの指値注文を行う第一注文情報、及び、前記第二注文価格入力欄に入力された前記第二注文価格又は前記第二注文価格算出手段が算出した前記第二注文価格について売りの指値注文を行う第二注文情報、及び、前記逆指値注文情報入力欄に入力された価格について売りの逆指値注文を行う逆指値注文情報からなる注文情報群を複数生成し、前記注文情報生成手段は、前記第一注文価格入力欄及び前記第二注文価格入力欄と前記利益額入力欄との少なくとも何れか一方に価格又は金額が入力されていれば前記第二注文情報を生成し、前記注文情報記録手段には前記注文情報群が記録され、前記約定情報生成手段は、前記価格情報受信手段において取得された前記金融商品の前記相場価格が下落又は上昇して前記第一注文価格と等しくなった場合、前記注文情報記録手段に記録された前記注文情報群を形成する個々の前記注文情報のうち前記第一注文情報に基づいて前記約定を行うと共に、前記約定情報生成手段は、前記第一注文情報が買いの指値注文である場合であって前記価格情報受信手段において取得された前記金融商品の前記相場価格が前記第一注文価格以下まで一旦下落したのちに上昇して前記第二注文価格と等しくなった場合、又は、前記第一注文情報が売りの指値注文である場合であって前記価格情報受信手段において取得された前記金融商品の前記相場価格が前記第一注文価格以上まで一旦上昇したのちに下落して前記第二注文価格と等しくなった場合、前記第二注文情報に基づいて前記金融商品の前記約定を行うことで、前記第一注文情報に基づく前記金融商品の約定と前記第二注文情報に基づく前記金融商品の約定とを繰り返し、前記約定情報生成手段は、前記逆指値注文情報に基づいて約定を行った場合、該逆指値注文情報を生成した前記売買注文申込情報に基づいて生成される注文情報群のうち、前記逆指値注文情報の生成時点で未約定である前記注文情報群を全てキャンセル処理することを特徴とする。
【手続補正３】
【補正対象書類名】明細書
【補正対象項目名】０００６
【補正方法】変更
【補正の内容】
【０００６】
請求項２に記載の発明は、オンライン端末としてのクライアント端末を用いて行われる、相場価格が変動する金融商品の売買取引を管理する金融商品取引管理装置であって、前記クライアント端末の表示手段に、売買を希望する前記金融商品の種類を選択するための売買希望入力手段、前記金融商品の持高としてのポジションごとの金額を入力するための金額入力欄、前記金融商品の販売注文価格又は購入注文価格としての第一注文価格を入力するための第一注文価格入力欄、前記金融商品の指値注文による購入注文価格又は販売注文価格としての第二注文価格を入力するための第二注文価格入力欄、一の前記ポジションの前記金融商品を前記第一注文価格で販売した後に他の価格で購入した場合の利益額又は一の前記ポジションの前記金融商品を前記第一注文価格で購入した後に他の価格で販売した場合の利益額を入力するための利益額入力欄、前記金融商品の逆指値注文による購入注文価格又は販売注文価格を入力するための逆指値注文価格入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、前記クライアント端末から送信された売買注文申込情報を受け付ける注文入力受付手段と、該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、前記注文情報生成手段が生成した前記注文情報を記録する注文情報記録手段と、前記注文情報に基づいて前記金融商品の約定を行う約定情報生成手段と、前記金融商品の前記相場価格情報を取得する価格情報受信手段と、前記第一注文価格入力欄に入力された価格と前記利益額入力欄に入力された価格とに基づいて、前記第二注文価格を算出するための第二注文価格算出手段と、特定顧客の証拠金情報の生成及び管理を行う口座情報生成手段と、前記証拠金情報を記録する顧客口座情報記録手段とを備え、前記注文情報生成手段は、前記承認手段の一のクリックによって前記クライアント端末から送信された前記情報を単位に形成される一の前記売買注文申込情報に基づいて、同一種類の前記金融商品について、前記第一注文価格入力欄に入力された前記第一注文価格について売りの指値注文を行う第一注文情報、及び、前記第二注文価格入力欄に入力された前記第二注文価格又は前記第二注文価格算出手段が算出した前記第二注文価格について買いの指値注文を行う第二注文情報、及び、前記逆指値注文情報入力欄に入力された価格について買いの逆指値注文を行う逆指値注文情報からなる注文情報群を複数生成し、前記注文情報生成手段は、前記第一注文価格入力欄及び前記第二注文価格入力欄と前記利益額入力欄との少なくとも何れか一方に価格又は金額が入力されていれば前記第二注文情報を生成し、前記注文情報記録手段には前記注文情報群が記録され、前記約定情報生成手段は、前記価格情報受信手段において取得された前記金融商品の前記相場価格が上昇又は下落して前記第一注文価格と等しくなった場合、前記注文情報記録手段に記録された前記注文情報群を形成する個々の前記注文情報のうち前記第一注文情報に基づいて前記約定を行うと共に、前記約定情報生成手段は、前記第一注文情報が売りの指値注文である場合であって前記価格情報受信手段において取得された前記金融商品の前記相場価格が前記第一注文価格以上まで一旦上昇したのちに下落して前記第二注文価格と等しくなった場合、又は、前記第一注文情報が買いの指値注文である場合であって前記価格情報受信手段において取得された前記金融商品の前記相場価格が前記第一注文価格以下まで一旦下落したのちに上昇して前記第二注文価格と等しくなった場合、前記第二注文情報に基づいて前記金融商品の前記約定を行うことで、前記第一注文情報に基づく前記金融商品の約定と前記第二注文情報に基づく前記金融商品の約定とを繰り返し、前記口座情報生成手段は、前記金融商品の約定処理を行う際に前記顧客口座情報記録手段の前記証拠金情報を取得し、前記約定情報生成手段は、取得された前記証拠金情報と前記フロントページ配信手段によって前記クライアント端末に画面表示された各入力欄にそれぞれ入力された数値に基づいて算出される注文総額とを対比して、前記証拠金情報の証拠金の額が前記注文総額以上である場合に、前記注文情報記録手段に記録された前記注文情報群を形成する個々の前記注文情報に基づいて前記金融商品の約定を行い、前記約定情報生成手段は、前記逆指値注文情報に基づいて約定を行った場合、該逆指値注文情報を生成した前記売買注文申込情報に基づいて生成される注文情報群のうち、前記逆指値注文情報の生成時点で未約定である前記注文情報群を全てキャンセル処理することを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
請求項３に記載の発明は、請求項１又は２に記載の構成に加え、前記約定情報生成手段は、一旦生成された前記金融商品の注文に対するキャンセル要求があった場合、該キャンセル要求のあった注文に関する前記注文情報が含まれる前記注文情報群を抽出し、該注文情報群に含まれる約定前の前記注文情報を全てキャンセル処理することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項４に記載の発明は、請求項１乃至３の何れか一つに記載の構成に加え、前記金融商品は外国為替であることを特徴とする。
【手続補正９】
【補正対象書類名】明細書
【補正対象項目名】００１２
【補正方法】変更
【補正の内容】
【００１２】
請求項５に記載の発明は、プログラムであって、コンピュータを請求項１乃至４７の何れか一つに記載の金融商品取引管理装置として機能させることを特徴とする。
【手続補正１０】
【補正対象書類名】明細書
【補正対象項目名】００１３
【補正方法】変更
【補正の内容】
【００１３】
請求項１に記載の発明によれば、クライアント端末の表示手段に、売買を希望する金融商品の種類を選択するための売買希望入力手段、金融商品の持高としてのポジションごとの金額を入力するための金額入力欄、金融商品の購入注文価格又は販売注文価格としての第一注文価格を入力するための第一注文価格入力欄、金融商品の指値注文による販売注文価格又は購入注文価格としての第二注文価格を入力するための第二注文価格入力欄、一のポジションの金融商品を第一注文価格で購入した後に他の価格で販売した場合の利益額又は一のポジションの金融商品を第一注文価格で販売した後に他の価格で購入した場合の利益額を入力するための利益額入力欄、金融商品の逆指値注文による販売注文価格又は購入注文価格を入力するための逆指値注文価格入力欄、各入力手段及び入力欄にて選択・入力された情報としての、金融商品の売買注文を行うための売買注文申込情報を確定して該確定された売買注文申込情報をクライアント端末から送信させる承認手段をそれぞれ画面表示させるフロントページ配信手段と、クライアント端末から送信された売買注文申込情報を受け付ける注文入力受付手段と、該注文入力受付手段が受け付け、かつ承認手段がクリックされることでクライアント端末から送信された売買注文申込情報に基づいて、売買希望入力手段によって選択された金融商品の、金額入力欄に入力された金額を一のポジションとする注文情報を生成する注文情報生成手段と、注文情報生成手段が生成した注文情報を記録する注文情報記録手段と、注文情報に基づいて金融商品の約定を行う約定情報生成手段と、金融商品の相場価格情報を取得する価格情報受信手段と、第一注文価格入力欄に入力された価格と利益額入力欄に入力された価格とに基づいて、第二注文価格を算出するための第二注文価格算出手段とを備え、注文情報生成手段は、承認手段の一のクリックによってクライアント端末から送信された情報を単位に形成される一の売買注文申込情報に基づいて、同一種類の金融商品について、第一注文価格入力欄に入力された第一注文価格について買いの指値注文を行う第一注文情報、及び、第二注文価格入力欄に入力された第二注文価格又は第二注文価格算出手段が算出した第二注文価格について売りの指値注文を行う第二注文情報、及び、逆指値注文情報入力欄に入力された価格について売りの逆指値注文を行う逆指値注文情報からなる注文情報群を複数生成し、注文情報記録手段には注文情報群が記録されることにより、金融商品取引管理装置を利用する顧客が金融商品を売買する際、顧客がクライアント端末側で一の注文手続きを行うことで、同一種類の複数価格の金融商品を複数のイフダンオーダーによって繰り返し注文することができ、かつ、当該顧客が将来的に所有する金融商品を逆指値注文によって売却することもできる。これにより、指値注文により金融商品の売買を行う顧客の利便性を向上させつつ、金融商品の指値注文において、システムを利用する顧客が煩雑な注文手続を行うことなく複数のイフダンオーダーを行うことができ、また将来の相場の状況に応じてイフダンオーダーを自動的に中止させることができて、システムを利用する顧客の利便性を高めると共にイフダンオーダーを行う際に顧客が被るリスクを低減させることができる。
請求項１に記載の発明によれば、注文情報に基づいて金融商品の約定を行う約定情報生成手段を備え、約定情報生成手段は、価格情報受信手段において取得された金融商品の相場価格が下落又は上昇して第一注文価格入力欄に入力された価格と等しくなった場合、注文情報記録手段に記録された注文情報群を形成する個々の注文情報のうち第一注文情報に基づいて約定を行うと共に、約定情報生成手段は、第一注文情報が買いの指値注文である場合であって価格情報受信手段において取得された金融商品の相場価格が第一注文価格欄に入力された価格以下まで一旦下落したのちに上昇して第二注文価格欄に入力された価格と等しくなった場合、又は、第一注文情報が売りの指値注文である場合であって価格情報受信手段において取得された金融商品の相場価格が第一注文価格欄に入力された価格以上まで一旦上昇したのちに下落して第二注文価格欄に入力された価格と等しくなった場合、第二注文情報に基づいて金融商品の約定を行うことで、第一注文情報に基づく金融商品の約定と第二注文情報に基づく金融商品の約定とを繰り返すことにより、クライアント端末から受信されて注文情報記録手段に記録された一の指示に基づいて、コンピュータシステム上で複数のイフダンオーダーによる取引を実現できる。これにより、金融商品の指値注文において、システムを利用する顧客が煩雑な注文手続を行うことなく複数のイフダンオーダーを行うことができて、システムを利用する顧客の利便性を高めることができる。
請求項１に記載の発明によれば、約定情報生成手段は注文情報記録手段に記録された注文情報群を形成する個々の注文情報に基づいて金融商品の約定を行い、約定情報生成手段は、逆指値注文情報に基づいて約定を行った場合、該逆指値注文情報を生成した売買注文申込情報に基づいて生成される注文情報群のうち、逆指値注文情報の生成時点で未約定である注文情報群を全てキャンセル処理することにより、一の逆指値注文情報に基づいて、特定時点以降におけるイフダンオーダー等の指値注文による売買を全て中止させることができる。これにより、金融商品の相場が従来の相場よりも大きく変動してしまい当面回復の見込みがない場合等において、指値取引を行う顧客が被る損害を最小限に留めることができる。
請求項１に記載の発明によれば、特定顧客の証拠金情報の生成及び管理を行う口座情報生成手段と、証拠金情報を記録する顧客口座情報記録手段とを備え、口座情報生成手段は、金融商品の約定処理を行う際に顧客口座情報記録手段の証拠金情報を取得し、約定情報生成手段は、取得された証拠金情報とフロントページ配信手段によってクライアント端末に画面表示された各入力欄にそれぞれ入力された数値に基づいて算出される注文総額とを対比して、証拠金情報の証拠金の額が注文総額以上である場合に、注文情報記録手段に記録された注文情報群を形成する個々の注文情報に基づいて金融商品の約定を行うことにより、支払いが確実にできる場合にのみイフダンオーダーによる指値注文を受け付け、支払い不能による商取引上の支障が生ずることなくシステムを運用できる。
【手続補正１１】
【補正対象書類名】明細書
【補正対象項目名】００１４
【補正方法】変更
【補正の内容】
【００１４】
請求項２に記載の発明によれば、クライアント端末の表示手段に、売買を希望する金融商品の種類を選択するための売買希望入力手段、金融商品の持高としてのポジションごとの金額を入力するための金額入力欄、金融商品の販売注文価格又は購入注文価格としての第一注文価格を入力するための第一注文価格入力欄、金融商品の指値注文による購入注文価格又は販売注文価格としての第二注文価格を入力するための第二注文価格入力欄、一のポジションの金融商品を第一注文価格で販売した後に他の価格で購入した場合の利益額又は一のポジションの金融商品を第一注文価格で購入した後に他の価格で販売した場合の利益額を入力するための利益額入力欄、金融商品の逆指値注文による購入注文価格又は販売注文価格を入力するための逆指値注文価格入力欄、各入力手段及び入力欄にて選択・入力された情報としての、金融商品の売買注文を行うための売買注文申込情報を確定して該確定された売買注文申込情報をクライアント端末から送信させる承認手段をそれぞれ画面表示させるフロントページ配信手段と、クライアント端末から送信された売買注文申込情報を受け付ける注文入力受付手段と、該注文入力受付手段が受け付け、かつ承認手段がクリックされることでクライアント端末から送信された売買注文申込情報に基づいて、売買希望入力手段によって選択された金融商品の、金額入力欄に入力された金額を一のポジションとする注文情報を生成する注文情報生成手段と、注文情報生成手段が生成した注文情報を記録する注文情報記録手段と、注文情報に基づいて金融商品の約定を行う約定情報生成手段と、金融商品の相場価格情報を取得する価格情報受信手段と、第一注文価格入力欄に入力された価格と利益額入力欄に入力された価格とに基づいて、第二注文価格を算出するための第二注文価格算出手段とを備え、注文情報生成手段は、承認手段の一のクリックによってクライアント端末から送信された情報を単位に形成される一の売買注文申込情報に基づいて、同一種類の金融商品について、第一注文価格入力欄に入力された第一注文価格について売りの指値注文を行う第一注文情報、及び、第二注文価格入力欄に入力された第二注文価格又は第二注文価格算出手段が算出した第二注文価格について買いの指値注文を行う第二注文情報、及び、逆指値注文情報入力欄に入力された価格について買いの逆指値注文を行う逆指値注文情報からなる注文情報群を複数生成し、注文情報記録手段には注文情報群が記録されることにより、金融商品取引管理装置を利用する顧客が金融商品を売買する際、顧客がクライアント端末側で一の注文手続きを行うことで、同一種類の複数価格の金融商品を複数のイフダンオーダーによって繰り返し注文することができ、かつ、当該顧客が将来的に所有する金融商品を逆指値注文によって売却することもできる。これにより、指値注文により金融商品の売買を行う顧客の利便性を向上させつつ、金融商品の指値注文において、システムを利用する顧客が煩雑な注文手続を行うことなく複数のイフダンオーダーを行うことができ、また将来の相場の状況に応じてイフダンオーダーを自動的に中止させることができて、システムを利用する顧客の利便性を高めると共にイフダンオーダーを行う際に顧客が被るリスクを低減させることができる。
請求項２に記載の発明によれば、注文情報に基づいて金融商品の約定を行う約定情報生成手段とを備え、約定情報生成手段は、価格情報受信手段において取得された金融商品の相場価格が上昇又は下落して第一注文価格入力欄に入力された価格と等しくなった場合、注文情報記録手段に記録された注文情報群を形成する個々の注文情報のうち第一注文情報に基づいて約定を行うと共に、約定情報生成手段は、第一注文情報が売りの指値注文である場合であって価格情報受信手段において取得された金融商品の相場価格が第一注文価格欄に入力された価格以上まで一旦上昇したのちに下落して第二注文価格欄に入力された価格と等しくなった場合、又は、第一注文情報が買いの指値注文である場合であって価格情報受信手段において取得された金融商品の相場価格が第一注文価格欄に入力された価格以下まで一旦下落したのちに上昇して第二注文価格欄に入力された価格と等しくなった場合、第二注文情報に基づいて金融商品の約定を行うことで、第一注文情報に基づく金融商品の約定と第二注文情報に基づく金融商品の約定とを繰り返すことにより、クライアント端末から受信されて注文情報記録手段に記録された一の指示に基づいて、コンピュータシステム上で複数のイフダンオーダーによる取引を実現できる。これにより、金融商品の指値注文において、システムを利用する顧客が煩雑な注文手続を行うことなく複数のイフダンオーダーを行うことができて、システムを利用する顧客の利便性を高めることができる。
請求項２に記載の発明によれば、約定情報生成手段は、逆指値注文情報に基づいて約定を行った場合、該逆指値注文情報を生成した売買注文申込情報に基づいて生成される注文情報群のうち、逆指値注文情報の生成時点で未約定である注文情報群を全てキャンセル処理することにより、一の逆指値注文情報に基づいて、特定時点以降におけるイフダンオーダー等の指値注文による売買を全て中止させることができる。これにより、金融商品の相場が従来の相場よりも大きく変動してしまい当面回復の見込みがない場合等において、指値取引を行う顧客が被る損害を最小限に留めることができる。
請求項２に記載の発明によれば、特定顧客の証拠金情報の生成及び管理を行う口座情報生成手段と、証拠金情報を記録する顧客口座情報記録手段とを備え、口座情報生成手段は、金融商品の約定処理を行う際に顧客口座情報記録手段の証拠金情報を取得し、約定情報生成手段は、取得された証拠金情報とフロントページ配信手段によってクライアント端末に画面表示された各入力欄にそれぞれ入力された数値に基づいて算出される注文総額とを対比して、証拠金情報の証拠金の額が注文総額以上である場合に、注文情報記録手段に記録された注文情報群を形成する個々の注文情報に基づいて金融商品の約定を行うことにより、支払いが確実にできる場合にのみイフダンオーダーによる指値注文を受け付け、支払い不能による商取引上の支障が生ずることなくシステムを運用できる。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
請求項３に記載の発明によれば、約定情報生成手段は、一旦生成された金融商品の注文に対するキャンセル要求があった場合、該キャンセル要求のあった注文に関する注文情報が含まれる注文情報群を抽出し、該注文情報群に含まれる約定前の注文情報を全てキャンセル処理することにより、イフダンオーダーによる指値注文の取扱が煩雑化することを防止できる。これにより、システムを利用する顧客の利便性を一層高めつつ、システム構成及びシステムにおける情報処理の複雑化を防止できる。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
請求項４に記載の発明によれば、金融商品は外国為替であることにより、イフダンオーダーによって指値注文する需要の高い金融商品について本発明を適用し、システムを利用する顧客の利便性を一層高めることができる。
【手続補正１７】
【補正対象書類名】明細書
【補正対象項目名】００２０
【補正方法】変更
【補正の内容】
【００２０】
請求項５に記載の発明によれば、本発明の金融商品取引管理装置をプログラム化し、多様なコンピュータハードウェア上で実現させることができる。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
オンライン端末としてのクライアント端末を用いて行われる、相場価格が変動する金融商品の売買取引を管理する金融商品取引管理装置であって、
前記クライアント端末の表示手段に、売買を希望する前記金融商品の種類を選択するための売買希望入力手段、前記金融商品の持高としてのポジションごとの金額を入力するための金額入力欄、前記金融商品の購入注文価格又は販売注文価格としての第一注文価格を入力するための第一注文価格入力欄、前記金融商品の指値注文による販売注文価格又は購入注文価格としての第二注文価格を入力するための第二注文価格入力欄、一の前記ポジションの前記金融商品を前記第一注文価格で購入した後に他の価格で販売した場合の利益額又は一の前記ポジションの前記金融商品を前記第一注文価格で販売した後に他の価格で購入した場合の利益額を入力するための利益額入力欄、前記金融商品の逆指値注文による販売注文価格又は購入注文価格を入力するための逆指値注文価格入力欄、前記第一注文価格と前記第二注文価格とによる取引を繰り返し行うか否かの命令を入力するための繰り返し要否入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、
前記クライアント端末から送信された売買注文申込情報を受け付ける注文入力受付手段と、
該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、
前記注文情報生成手段が生成した前記注文情報を記録する注文情報記録手段と、
前記注文情報に基づいて前記金融商品の約定を行う約定情報生成手段と、
前記金融商品の前記相場価格情報を取得する価格情報受信手段と、
前記第一注文価格入力欄に入力された価格と前記利益額入力欄に入力された価格とに基づいて、前記第二注文価格を算出するための第二注文価格算出手段と、
特定顧客の証拠金情報の生成及び管理を行う口座情報生成手段と、
前記証拠金情報を記録する顧客口座情報記録手段とを備え、
前記注文情報生成手段は、前記承認手段の一のクリックによって前記クライアント端末から送信された一の前記売買注文申込情報に基づいて、同一種類の前記金融商品について、前記第一注文価格入力欄に入力された前記第一注文価格について買いの指値注文を行う第一注文情報、及び、前記第二注文価格入力欄に入力された前記第二注文価格又は前記第二注文価格算出手段が算出した前記第二注文価格について売りの指値注文を行う第二注文情報、及び、前記逆指値注文情報入力欄に入力された価格について売りの逆指値注文を行う逆指値注文情報からなる注文情報群を複数生成し、
前記注文情報生成手段は、前記第一注文価格入力欄及び前記第二注文価格入力欄と前記利益額入力欄との少なくとも何れか一方に価格又は金額が入力されていれば前記第二注文情報を生成し、
前記注文情報生成手段は、前記繰り返し要否入力欄に繰り返しを要する入力がされている場合には前記注文情報群の生成を繰り返し、
前記注文情報記録手段には前記注文情報群が記録され、
前記約定情報生成手段は、前記第一注文情報が買いの指値注文である場合であって、前記価格情報受信手段において取得された前記金融商品の前記相場価格が下落して前記第一注文価格入力欄に入力された価格と等しくなった場合、前記注文情報記録手段に記録された前記注文情報群を形成する個々の前記注文情報のうち前記第一注文情報に基づいて前記約定を行うと共に、前記価格情報受信手段において取得された前記金融商品の前記相場価格が前記第一注文価格入力欄に入力された価格以下まで一旦下落したのちに上昇して前記第二注文価格入力欄に入力された価格と等しくなった場合、前記第二注文情報に基づいて前記金融商品の前記約定を行うことで、前記第一注文情報に基づく前記金融商品の約定と前記第二注文情報に基づく前記金融商品の約定とを行い、
前記口座情報生成手段は、前記注文情報群を生成する際に前記顧客口座情報記録手段の前記証拠金情報を取得し、前記注文入力受付手段は、取得された前記証拠金情報と前記フロントページ配信手段によって前記クライアント端末に画面表示された各入力欄にそれぞれ入力された数値に基づいて算出される注文総額とを対比して、前記注文情報生成手段は、前記証拠金情報の証拠金の額が前記注文総額以上である場合に、前記注文情報記録手段に記録された前記注文情報群を形成する個々の前記注文情報に基づいて前記注文情報群の生成を行い、
前記約定情報生成手段は、前記逆指値注文情報に基づいて約定を行った場合、該逆指値注文情報を生成した前記売買注文申込情報に基づいて生成される注文情報群のうち、前記逆指値注文情報の約定時点で未約定である前記注文情報群を全てキャンセル処理することを特徴とする金融商品取引管理装置。
【請求項２】
オンライン端末としてのクライアント端末を用いて行われる、相場価格が変動する金融商品の売買取引を管理する金融商品取引管理装置であって、
前記クライアント端末の表示手段に、売買を希望する前記金融商品の種類を選択するための売買希望入力手段、前記金融商品の持高としてのポジションごとの金額を入力するための金額入力欄、前記金融商品の販売注文価格又は購入注文価格としての第一注文価格を入力するための第一注文価格入力欄、前記金融商品の指値注文による購入注文価格又は販売注文価格としての第二注文価格を入力するための第二注文価格入力欄、一の前記ポジションの前記金融商品を前記第一注文価格で販売した後に他の価格で購入した場合の利益額又は一の前記ポジションの前記金融商品を前記第一注文価格で購入した後に他の価格で販売した場合の利益額を入力するための利益額入力欄、前記金融商品の逆指値注文による購入注文価格又は販売注文価格を入力するための逆指値注文価格入力欄、前記第一注文価格と前記第二注文価格とによる取引を繰り返し行うか否かの命令を入力するための繰り返し要否入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、
前記クライアント端末から送信された売買注文申込情報を受け付ける注文入力受付手段と、
該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、
前記注文情報生成手段が生成した前記注文情報を記録する注文情報記録手段と、
前記注文情報に基づいて前記金融商品の約定を行う約定情報生成手段と、
前記金融商品の前記相場価格情報を取得する価格情報受信手段と、
前記第一注文価格入力欄に入力された価格と前記利益額入力欄に入力された価格とに基づいて、前記第二注文価格を算出するための第二注文価格算出手段と、
特定顧客の証拠金情報の生成及び管理を行う口座情報生成手段と、
前記証拠金情報を記録する顧客口座情報記録手段とを備え、
前記注文情報生成手段は、前記承認手段の一のクリックによって前記クライアント端末から送信された一の前記売買注文申込情報に基づいて、同一種類の前記金融商品について、前記第一注文価格入力欄に入力された前記第一注文価格について売りの指値注文を行う第一注文情報、及び、前記第二注文価格入力欄に入力された前記第二注文価格又は前記第二注文価格算出手段が算出した前記第二注文価格について買いの指値注文を行う第二注文情報、及び、前記逆指値注文情報入力欄に入力された価格について買いの逆指値注文を行う逆指値注文情報からなる注文情報群を複数生成し、
前記注文情報生成手段は、前記第一注文価格入力欄及び前記第二注文価格入力欄と前記利益額入力欄との少なくとも何れか一方に価格又は金額が入力されていれば前記第二注文情報を生成し、
前記注文情報生成手段は、前記繰り返し要否入力欄に繰り返しを要する入力がされている場合には前記注文情報群の生成を繰り返し、
前記注文情報記録手段には前記注文情報群が記録され、
前記約定情報生成手段は、前記第一注文情報が売りの指値注文である場合であって、前記価格情報受信手段において取得された前記金融商品の前記相場価格が上昇して前記第一注文価格入力欄に入力された価格と等しくなった場合、前記注文情報記録手段に記録された前記注文情報群を形成する個々の前記注文情報のうち前記第一注文情報に基づいて前記約定を行うと共に、前記価格情報受信手段において取得された前記金融商品の前記相場価格が前記第一注文価格入力欄に入力された価格以上まで一旦上昇したのちに下落して前記第二注文価格入力欄に入力された価格と等しくなった場合、前記第二注文情報に基づいて前記金融商品の前記約定を行うことで、前記第一注文情報に基づく前記金融商品の約定と前記第二注文情報に基づく前記金融商品の約定とを行い、
前記口座情報生成手段は、前記注文情報群を生成する際に前記顧客口座情報記録手段の前記証拠金情報を取得し、前記注文入力受付手段は、取得された前記証拠金情報と前記フロントページ配信手段によって前記クライアント端末に画面表示された各入力欄にそれぞれ入力された数値に基づいて算出される注文総額とを対比して、前記注文情報生成手段は、前記証拠金情報の証拠金の額が前記注文総額以上である場合に、前記注文情報記録手段に記録された前記注文情報群を形成する個々の前記注文情報に基づいて前記注文情報群の生成を行い、
前記約定情報生成手段は、前記逆指値注文情報に基づいて約定を行った場合、該逆指値注文情報を生成した前記売買注文申込情報に基づいて生成される注文情報群のうち、前記逆指値注文情報の約定時点で未約定である前記注文情報群を全てキャンセル処理することを特徴とする金融商品取引管理装置。
【請求項３】
前記約定情報生成手段は、一旦生成された前記金融商品の注文に対するキャンセル要求があった場合、該キャンセル要求のあった注文に関する前記注文情報が含まれる前記注文情報群を抽出し、該注文情報群に含まれる約定前の前記注文情報を全てキャンセル処理することを特徴とする請求項１又は２に記載の金融商品取引管理装置。
【請求項４】
前記金融商品は外国為替であることを特徴とする請求項１乃至３の何れか一つに記載の金融商品取引管理装置。
【請求項５】
コンピュータを請求項１乃至４の何れか一つに記載の金融商品取引管理装置として機能させることを特徴とするプログラム。
【手続補正２】
【補正対象書類名】明細書
【補正対象項目名】０００５
【補正方法】変更
【補正の内容】
【０００５】
上記課題を実現するために、請求項１に記載の発明は、オンライン端末としてのクライアント端末を用いて行われる、相場価格が変動する金融商品の売買取引を管理する金融商品取引管理装置であって、前記クライアント端末の表示手段に、売買を希望する前記金融商品の種類を選択するための売買希望入力手段、前記金融商品の持高としてのポジションごとの金額を入力するための金額入力欄、前記金融商品の購入注文価格又は販売注文価格としての第一注文価格を入力するための第一注文価格入力欄、前記金融商品の指値注文による販売注文価格又は購入注文価格としての第二注文価格を入力するための第二注文価格入力欄、一の前記ポジションの前記金融商品を前記第一注文価格で購入した後に他の価格で販売した場合の利益額又は一の前記ポジションの前記金融商品を前記第一注文価格で販売した後に他の価格で購入した場合の利益額を入力するための利益額入力欄、前記金融商品の逆指値注文による販売注文価格又は購入注文価格を入力するための逆指値注文価格入力欄、前記第一注文価格と前記第二注文価格とによる取引を繰り返し行うか否かの命令を入力するための繰り返し要否入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、前記クライアント端末から送信された売買注文申込情報を受け付ける注文入力受付手段と、該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、前記注文情報生成手段が生成した前記注文情報を記録する注文情報記録手段と、前記注文情報に基づいて前記金融商品の約定を行う約定情報生成手段と、前記金融商品の前記相場価格情報を取得する価格情報受信手段と、前記第一注文価格入力欄に入力された価格と前記利益額入力欄に入力された価格とに基づいて、前記第二注文価格を算出するための第二注文価格算出手段と、特定顧客の証拠金情報の生成及び管理を行う口座情報生成手段と、前記証拠金情報を記録する顧客口座情報記録手段とを備え、前記注文情報生成手段は、前記承認手段の一のクリックによって前記クライアント端末から送信された一の前記売買注文申込情報に基づいて、同一種類の前記金融商品について、前記第一注文価格入力欄に入力された前記第一注文価格について買いの指値注文を行う第一注文情報、及び、前記第二注文価格入力欄に入力された前記第二注文価格又は前記第二注文価格算出手段が算出した前記第二注文価格について売りの指値注文を行う第二注文情報、及び、前記逆指値注文情報入力欄に入力された価格について売りの逆指値注文を行う逆指値注文情報からなる注文情報群を複数生成し、前記注文情報生成手段は、前記第一注文価格入力欄及び前記第二注文価格入力欄と前記利益額入力欄との少なくとも何れか一方に価格又は金額が入力されていれば前記第二注文情報を生成し、前記注文情報生成手段は、前記繰り返し要否入力欄に繰り返しを要する入力がされている場合には前記注文情報群の生成を繰り返し、前記注文情報記録手段には前記注文情報群が記録され、前記約定情報生成手段は、前記第一注文情報が買いの指値注文である場合であって、前記価格情報受信手段において取得された前記金融商品の前記相場価格が下落して前記第一注文価格入力欄に入力された価格と等しくなった場合、前記注文情報記録手段に記録された前記注文情報群を形成する個々の前記注文情報のうち前記第一注文情報に基づいて前記約定を行うと共に、前記価格情報受信手段において取得された前記金融商品の前記相場価格が前記第一注文価格入力欄に入力された価格以下まで一旦下落したのちに上昇して前記第二注文価格入力欄に入力された価格と等しくなった場合、前記第二注文情報に基づいて前記金融商品の前記約定を行うことで、前記第一注文情報に基づく前記金融商品の約定と前記第二注文情報に基づく前記金融商品の約定とを行い、前記口座情報生成手段は、前記注文情報群を生成する際に前記顧客口座情報記録手段の前記証拠金情報を取得し、前記注文入力受付手段は、取得された前記証拠金情報と前記フロントページ配信手段によって前記クライアント端末に画面表示された各入力欄にそれぞれ入力された数値に基づいて算出される注文総額とを対比して、前記注文情報生成手段は、前記証拠金情報の証拠金の額が前記注文総額以上である場合に、前記注文情報記録手段に記録された前記注文情報群を形成する個々の前記注文情報に基づいて前記注文情報群の生成を行い、前記約定情報生成手段は、前記逆指値注文情報に基づいて約定を行った場合、該逆指値注文情報を生成した前記売買注文申込情報に基づいて生成される注文情報群のうち、前記逆指値注文情報の約定時点で未約定である前記注文情報群を全てキャンセル処理することを特徴とする。
【手続補正３】
【補正対象書類名】明細書
【補正対象項目名】０００６
【補正方法】変更
【補正の内容】
【０００６】
請求項２に記載の発明は、オンライン端末としてのクライアント端末を用いて行われる、相場価格が変動する金融商品の売買取引を管理する金融商品取引管理装置であって、前記クライアント端末の表示手段に、売買を希望する前記金融商品の種類を選択するための売買希望入力手段、前記金融商品の持高としてのポジションごとの金額を入力するための金額入力欄、前記金融商品の販売注文価格又は購入注文価格としての第一注文価格を入力するための第一注文価格入力欄、前記金融商品の指値注文による購入注文価格又は販売注文価格としての第二注文価格を入力するための第二注文価格入力欄、一の前記ポジションの前記金融商品を前記第一注文価格で販売した後に他の価格で購入した場合の利益額又は一の前記ポジションの前記金融商品を前記第一注文価格で購入した後に他の価格で販売した場合の利益額を入力するための利益額入力欄、前記金融商品の逆指値注文による購入注文価格又は販売注文価格を入力するための逆指値注文価格入力欄、前記第一注文価格と前記第二注文価格とによる取引を繰り返し行うか否かの命令を入力するための繰り返し要否入力欄、各入力手段及び入力欄にて選択・入力された情報としての、前記金融商品の売買注文を行うための売買注文申込情報を確定して該確定された前記売買注文申込情報を前記クライアント端末から送信させる承認手段をそれぞれ画面表示させるフロントページ配信手段と、前記クライアント端末から送信された売買注文申込情報を受け付ける注文入力受付手段と、該注文入力受付手段が受け付け、かつ前記承認手段がクリックされることで前記クライアント端末から送信された前記売買注文申込情報に基づいて、前記売買希望入力手段によって選択された金融商品の、前記金額入力欄に入力された金額を一の前記ポジションとする注文情報を生成する注文情報生成手段と、前記注文情報生成手段が生成した前記注文情報を記録する注文情報記録手段と、前記注文情報に基づいて前記金融商品の約定を行う約定情報生成手段と、前記金融商品の前記相場価格情報を取得する価格情報受信手段と、前記第一注文価格入力欄に入力された価格と前記利益額入力欄に入力された価格とに基づいて、前記第二注文価格を算出するための第二注文価格算出手段と、特定顧客の証拠金情報の生成及び管理を行う口座情報生成手段と、前記証拠金情報を記録する顧客口座情報記録手段とを備え、前記注文情報生成手段は、前記承認手段の一のクリックによって前記クライアント端末から送信された一の前記売買注文申込情報に基づいて、同一種類の前記金融商品について、前記第一注文価格入力欄に入力された前記第一注文価格について売りの指値注文を行う第一注文情報、及び、前記第二注文価格入力欄に入力された前記第二注文価格又は前記第二注文価格算出手段が算出した前記第二注文価格について買いの指値注文を行う第二注文情報、及び、前記逆指値注文情報入力欄に入力された価格について買いの逆指値注文を行う逆指値注文情報からなる注文情報群を複数生成し、前記注文情報生成手段は、前記第一注文価格入力欄及び前記第二注文価格入力欄と前記利益額入力欄との少なくとも何れか一方に価格又は金額が入力されていれば前記第二注文情報を生成し、前記注文情報生成手段は、前記繰り返し要否入力欄に繰り返しを要する入力がされている場合には前記注文情報群の生成を繰り返し、前記注文情報記録手段には前記注文情報群が記録され、前記約定情報生成手段は、前記第一注文情報が売りの指値注文である場合であって、前記価格情報受信手段において取得された前記金融商品の前記相場価格が上昇して前記第一注文価格入力欄に入力された価格と等しくなった場合、前記注文情報記録手段に記録された前記注文情報群を形成する個々の前記注文情報のうち前記第一注文情報に基づいて前記約定を行うと共に、前記価格情報受信手段において取得された前記金融商品の前記相場価格が前記第一注文価格入力欄に入力された価格以上まで一旦上昇したのちに下落して前記第二注文価格入力欄に入力された価格と等しくなった場合、前記第二注文情報に基づいて前記金融商品の前記約定を行うことで、前記第一注文情報に基づく前記金融商品の約定と前記第二注文情報に基づく前記金融商品の約定とを行い、前記口座情報生成手段は、前記注文情報群を生成する際に前記顧客口座情報記録手段の前記証拠金情報を取得し、前記注文入力受付手段は、取得された前記証拠金情報と前記フロントページ配信手段によって前記クライアント端末に画面表示された各入力欄にそれぞれ入力された数値に基づいて算出される注文総額とを対比して、前記注文情報生成手段は、前記証拠金情報の証拠金の額が前記注文総額以上である場合に、前記注文情報記録手段に記録された前記注文情報群を形成する個々の前記注文情報に基づいて前記注文情報群の生成を行い、前記約定情報生成手段は、前記逆指値注文情報に基づいて約定を行った場合、該逆指値注文情報を生成した前記売買注文申込情報に基づいて生成される注文情報群のうち、前記逆指値注文情報の約定時点で未約定である前記注文情報群を全てキャンセル処理することを特徴とする。
【手続補正４】
【補正対象書類名】明細書
【補正対象項目名】００１３
【補正方法】変更
【補正の内容】
【００１３】
請求項１に記載の発明によれば、クライアント端末の表示手段に、売買を希望する金融商品の種類を選択するための売買希望入力手段、金融商品の持高としてのポジションごとの金額を入力するための金額入力欄、金融商品の購入注文価格又は販売注文価格としての第一注文価格を入力するための第一注文価格入力欄、金融商品の指値注文による販売注文価格又は購入注文価格としての第二注文価格を入力するための第二注文価格入力欄、一のポジションの金融商品を第一注文価格で購入した後に他の価格で販売した場合の利益額又は一のポジションの金融商品を第一注文価格で販売した後に他の価格で購入した場合の利益額を入力するための利益額入力欄、金融商品の逆指値注文による販売注文価格又は購入注文価格を入力するための逆指値注文価格入力欄、第一注文価格と第二注文価格とによる取引を繰り返し行うか否かの命令を入力するための繰り返し要否入力欄、各入力手段及び入力欄にて選択・入力された情報としての、金融商品の売買注文を行うための売買注文申込情報を確定して確定された売買注文申込情報をクライアント端末から送信させる承認手段をそれぞれ画面表示させるフロントページ配信手段と、クライアント端末から送信された売買注文申込情報を受け付ける注文入力受付手段と、注文入力受付手段が受け付け、かつ承認手段がクリックされることでクライアント端末から送信された売買注文申込情報に基づいて、売買希望入力手段によって選択された金融商品の、金額入力欄に入力された金額を一のポジションとする注文情報を生成する注文情報生成手段と、注文情報生成手段が生成した注文情報を記録する注文情報記録手段と、金融商品の相場価格情報を取得する価格情報受信手段と、第一注文価格入力欄に入力された価格と利益額入力欄に入力された価格とに基づいて、第二注文価格を算出するための第二注文価格算出手段と、特定顧客の証拠金情報の生成及び管理を行う口座情報生成手段と、証拠金情報を記録する顧客口座情報記録手段とを備え、注文情報生成手段は、承認手段の一のクリックによってクライアント端末から送信された一の売買注文申込情報に基づいて、同一種類の金融商品について、第一注文価格入力欄に入力された第一注文価格について買いの指値注文を行う第一注文情報、及び、第二注文価格入力欄に入力された第二注文価格又は第二注文価格算出手段が算出した第二注文価格について売りの指値注文を行う第二注文情報、及び、逆指値注文情報入力欄に入力された価格について売りの逆指値注文を行う逆指値注文情報からなる注文情報群を複数生成し、注文情報生成手段は、第一注文価格入力欄及び第二注文価格入力欄と利益額入力欄との少なくとも何れか一方に価格又は金額が入力されていれば第二注文情報を生成し、注文情報生成手段は、繰り返し要否入力欄に繰り返しを要する入力がされている場合には注文情報群の生成を繰り返し、注文情報記録手段には注文情報群が記録されることにより、金融商品取引管理装置を利用する顧客が金融商品を売買する際、顧客がクライアント端末側で一の注文手続きを行うことで、同一種類の複数価格の金融商品を複数のイフダンオーダーによって繰り返し注文することができ、かつ、当該顧客が将来的に所有する金融商品を逆指値注文によって売却することもできる。これにより、指値注文により金融商品の売買を行う顧客の利便性を向上させつつ、金融商品の指値注文において、システムを利用する顧客が煩雑な注文手続を行うことなく複数のイフダンオーダーを行うことができ、また将来の相場の状況に応じてイフダンオーダーを自動的に中止させることができて、システムを利用する顧客の利便性を高めると共にイフダンオーダーを行う際に顧客が被るリスクを低減させることができる。
請求項１に記載の発明によれば、注文情報に基づいて金融商品の約定を行う約定情報生成手段を備え、約定情報生成手段は、第一注文情報が買いの指値注文である場合であって、価格情報受信手段において取得された金融商品の相場価格が下落して第一注文価格入力欄に入力された価格と等しくなった場合、注文情報記録手段に記録された注文情報群を形成する個々の注文情報のうち第一注文情報に基づいて約定を行うと共に、価格情報受信手段において取得された金融商品の相場価格が第一注文価格入力欄に入力された価格以下まで一旦下落したのちに上昇して第二注文価格入力欄に入力された価格と等しくなった場合、第二注文情報に基づいて金融商品の約定を行うことで、第一注文情報に基づく金融商品の約定と第二注文情報に基づく金融商品の約定とを行うことにより、クライアント端末から受信されて注文情報記録手段に記録された一の指示に基づいて、コンピュータシステム上で複数のイフダンオーダーによる取引を実現できる。これにより、金融商品の指値注文において、システムを利用する顧客が煩雑な注文手続を行うことなく複数のイフダンオーダーを行うことができて、システムを利用する顧客の利便性を高めることができる。
請求項１に記載の発明によれば、約定情報生成手段は注文情報記録手段に記録された注文情報群を形成する個々の注文情報に基づいて金融商品の約定を行い、約定情報生成手段は、逆指値注文情報に基づいて約定を行った場合、逆指値注文情報を生成した売買注文申込情報に基づいて生成される注文情報群のうち、逆指値注文情報の約定時点で未約定である注文情報群を全てキャンセル処理することにより、一の逆指値注文情報に基づいて、特定時点以降におけるイフダンオーダー等の指値注文による売買を全て中止させることができる。これにより、金融商品の相場が従来の相場よりも大きく変動してしまい当面回復の見込みがない場合等において、指値取引を行う顧客が被る損害を最小限に留めることができる。
請求項１に記載の発明によれば、特定顧客の証拠金情報の生成及び管理を行う口座情報生成手段と、証拠金情報を記録する顧客口座情報記録手段とを備え、口座情報生成手段は、注文情報群を生成する際に顧客口座情報記録手段の証拠金情報を取得し、注文入力受付手段は、取得された証拠金情報とフロントページ配信手段によってクライアント端末に画面表示された各入力欄にそれぞれ入力された数値に基づいて算出される注文総額とを対比して、注文情報生成手段は、証拠金情報の証拠金の額が注文総額以上である場合に、注文情報記録手段に記録された注文情報群を形成する個々の注文情報に基づいて注文情報群の生成を行うことにより、支払いが確実にできる場合にのみイフダンオーダーによる指値注文を受け付け、支払い不能による商取引上の支障が生ずることなくシステムを運用できる。
【手続補正５】
【補正対象書類名】明細書
【補正対象項目名】００１４
【補正方法】変更
【補正の内容】
【００１４】
請求項２に記載の発明によれば、クライアント端末の表示手段に、売買を希望する金融商品の種類を選択するための売買希望入力手段、金融商品の持高としてのポジションごとの金額を入力するための金額入力欄、金融商品の販売注文価格又は購入注文価格としての第一注文価格を入力するための第一注文価格入力欄、金融商品の指値注文による購入注文価格又は販売注文価格としての第二注文価格を入力するための第二注文価格入力欄、一のポジションの金融商品を第一注文価格で販売した後に他の価格で購入した場合の利益額又は一のポジションの金融商品を第一注文価格で購入した後に他の価格で販売した場合の利益額を入力するための利益額入力欄、金融商品の逆指値注文による購入注文価格又は販売注文価格を入力するための逆指値注文価格入力欄、第一注文価格と第二注文価格とによる取引を繰り返し行うか否かの命令を入力するための繰り返し要否入力欄、各入力手段及び入力欄にて選択・入力された情報としての、金融商品の売買注文を行うための売買注文申込情報を確定して確定された売買注文申込情報をクライアント端末から送信させる承認手段をそれぞれ画面表示させるフロントページ配信手段と、クライアント端末から送信された売買注文申込情報を受け付ける注文入力受付手段と、注文入力受付手段が受け付け、かつ承認手段がクリックされることでクライアント端末から送信された売買注文申込情報に基づいて、売買希望入力手段によって選択された金融商品の、金額入力欄に入力された金額を一のポジションとする注文情報を生成する注文情報生成手段と、注文情報生成手段が生成した注文情報を記録する注文情報記録手段と、金融商品の相場価格情報を取得する価格情報受信手段と、第一注文価格入力欄に入力された価格と利益額入力欄に入力された価格とに基づいて、第二注文価格を算出するための第二注文価格算出手段と、特定顧客の証拠金情報の生成及び管理を行う口座情報生成手段と、証拠金情報を記録する顧客口座情報記録手段とを備え、注文情報生成手段は、承認手段の一のクリックによってクライアント端末から送信された一の売買注文申込情報に基づいて、同一種類の金融商品について、第一注文価格入力欄に入力された第一注文価格について売りの指値注文を行う第一注文情報、及び、第二注文価格入力欄に入力された第二注文価格又は第二注文価格算出手段が算出した第二注文価格について買いの指値注文を行う第二注文情報、及び、逆指値注文情報入力欄に入力された価格について買いの逆指値注文を行う逆指値注文情報からなる注文情報群を複数生成し、注文情報生成手段は、第一注文価格入力欄及び第二注文価格入力欄と利益額入力欄との少なくとも何れか一方に価格又は金額が入力されていれば第二注文情報を生成し、注文情報生成手段は、繰り返し要否入力欄に繰り返しを要する入力がされている場合には注文情報群の生成を繰り返し、注文情報記録手段には注文情報群が記録されることにより、金融商品取引管理装置を利用する顧客が金融商品を売買する際、顧客がクライアント端末側で一の注文手続きを行うことで、同一種類の複数価格の金融商品を複数のイフダンオーダーによって繰り返し注文することができ、かつ、当該顧客が将来的に所有する金融商品を逆指値注文によって売却することもできる。これにより、指値注文により金融商品の売買を行う顧客の利便性を向上させつつ、金融商品の指値注文において、システムを利用する顧客が煩雑な注文手続を行うことなく複数のイフダンオーダーを行うことができ、また将来の相場の状況に応じてイフダンオーダーを自動的に中止させることができて、システムを利用する顧客の利便性を高めると共にイフダンオーダーを行う際に顧客が被るリスクを低減させることができる。
請求項２に記載の発明によれば、注文情報に基づいて金融商品の約定を行う約定情報生成手段とを備え、約定情報生成手段は、第一注文情報が売りの指値注文である場合であって、価格情報受信手段において取得された金融商品の相場価格が上昇して第一注文価格入力欄に入力された価格と等しくなった場合、注文情報記録手段に記録された注文情報群を形成する個々の注文情報のうち第一注文情報に基づいて約定を行うと共に、価格情報受信手段において取得された金融商品の相場価格が第一注文価格入力欄に入力された価格以上まで一旦上昇したのちに下落して第二注文価格入力欄に入力された価格と等しくなった場合、第二注文情報に基づいて金融商品の約定を行うことで、第一注文情報に基づく金融商品の約定と第二注文情報に基づく金融商品の約定とを行うことにより、クライアント端末から受信されて注文情報記録手段に記録された一の指示に基づいて、コンピュータシステム上で複数のイフダンオーダーによる取引を実現できる。これにより、金融商品の指値注文において、システムを利用する顧客が煩雑な注文手続を行うことなく複数のイフダンオーダーを行うことができて、システムを利用する顧客の利便性を高めることができる。
請求項２に記載の発明によれば、約定情報生成手段は注文情報記録手段に記録された注文情報群を形成する個々の注文情報に基づいて金融商品の約定を行い、約定情報生成手段は、逆指値注文情報に基づいて約定を行った場合、逆指値注文情報を生成した売買注文申込情報に基づいて生成される注文情報群のうち、逆指値注文情報の約定時点で未約定である注文情報群を全てキャンセル処理することにより、一の逆指値注文情報に基づいて、特定時点以降におけるイフダンオーダー等の指値注文による売買を全て中止させることができる。これにより、金融商品の相場が従来の相場よりも大きく変動してしまい当面回復の見込みがない場合等において、指値取引を行う顧客が被る損害を最小限に留めることができる。
請求項２に記載の発明によれば、特定顧客の証拠金情報の生成及び管理を行う口座情報生成手段と、証拠金情報を記録する顧客口座情報記録手段とを備え、口座情報生成手段は、注文情報群を生成する際に顧客口座情報記録手段の証拠金情報を取得し、注文入力受付手段は、取得された証拠金情報とフロントページ配信手段によってクライアント端末に画面表示された各入力欄にそれぞれ入力された数値に基づいて算出される注文総額とを対比して、注文情報生成手段は、証拠金情報の証拠金の額が注文総額以上である場合に、注文情報記録手段に記録された注文情報群を形成する個々の注文情報に基づいて注文情報群の生成を行うことにより、支払いが確実にできる場合にのみイフダンオーダーによる指値注文を受け付け、支払い不能による商取引上の支障が生ずることなくシステムを運用できる。
【手続補正６】
【補正対象書類名】図面
【補正対象項目名】図４Ａ
【補正方法】変更
【補正の内容】
【図４Ａ】
2010055323.tif 000013